(57)【要約】      （修正有）【課題】無機ＥＬを使用するのが適した装置を提供することである。【解決手段】無機ＥＬ発光体を具備した無機ＥＬ発光体装置であって、前記無機ＥＬ発光体装置は、例えば誘蛾灯装置、集魚灯装置、ロータリーエンコーダ装置、バーコード読取装置、防犯装置、移動装置における内部発光装置、移動装置におけるシフトレバー装置、移動装置におけるドア装置、移動装置におけるハッチ装置、装飾体における発光装置、イルミネーション装置、クリスマスツリー装置、衣服における発光装置、ヘルメット、玩具、家庭用電気製品、オフィス用電気製品、家具、計算機、計算機周辺機器、ワードプロセッサ、印刷機、音響機器、映像機器、通信機器、健康機器、治療機器、検査装置、携帯機器、自動販売機、発光インジケータ装置、自転車における発光装置などに組み込まれたものである。【選択図】なし【特許請求の範囲】
【請求項１】
無機ＥＬ発光体を具備した無機ＥＬ発光体装置であって、
前記無機ＥＬ発光体装置は、
無機ＥＬ発光体を備えた発光源における少なくとも一つの発光面の形状が、三角形、正方形、少なくとも一つの角が直角で無い四角形、五角形〜二十角形、又は前記の形状の少なくとも一部が曲線状に変形された形状、若しくは全体が曲線で構成された形状である
ことを特徴とする無機ＥＬ発光体装置。
【請求項２】
無機ＥＬ発光体を具備した無機ＥＬ発光体装置であって、
前記無機ＥＬ発光体装置が誘蛾灯装置に組み込まれたものである
ことを特徴とする無機ＥＬ発光体装置。
【請求項３】
無機ＥＬ発光体を具備した無機ＥＬ発光体装置であって、
前記無機ＥＬ発光体装置が集魚灯装置に組み込まれたものである
ことを特徴とする無機ＥＬ発光体装置。
【請求項４】
無機ＥＬ発光体を具備した無機ＥＬ発光体装置であって、
前記無機ＥＬ発光体装置がロータリーエンコーダ装置に組み込まれたものである
ことを特徴とする無機ＥＬ発光体装置。
【請求項５】
無機ＥＬ発光体を具備した無機ＥＬ発光体装置であって、
前記無機ＥＬ発光体装置がバーコード読取装置に組み込まれたものである
ことを特徴とする無機ＥＬ発光体装置。
【請求項６】
無機ＥＬ発光体を具備した無機ＥＬ発光体装置であって、
前記無機ＥＬ発光体装置が防犯装置に組み込まれたものである
ことを特徴とする無機ＥＬ発光体装置。
【請求項７】
無機ＥＬ発光体を具備した無機ＥＬ発光体装置であって、
前記無機ＥＬ発光体装置が移動装置における内部発光装置に組み込まれたものである
ことを特徴とする無機ＥＬ発光体装置。
【請求項８】
無機ＥＬ発光体を具備した無機ＥＬ発光体装置であって、
前記無機ＥＬ発光体装置が移動装置におけるシフトレバー装置に組み込まれたものである
ことを特徴とする無機ＥＬ発光体装置。
【請求項９】
無機ＥＬ発光体を具備した無機ＥＬ発光体装置であって、
前記無機ＥＬ発光体装置が移動装置における開閉装置に組み込まれたものである
ことを特徴とする無機ＥＬ発光体装置。
【請求項１０】
無機ＥＬ発光体を具備した無機ＥＬ発光体装置であって、
前記無機ＥＬ発光体装置が移動装置における標識灯装置に組み込まれたものである
ことを特徴とする無機ＥＬ発光体装置。
【請求項１１】
無機ＥＬ発光体を具備した無機ＥＬ発光体装置であって、
前記無機ＥＬ発光体装置が装飾体における発光装置に組み込まれたものである
ことを特徴とする無機ＥＬ発光体装置。
【請求項１２】
無機ＥＬ発光体を具備した無機ＥＬ発光体装置であって、
前記無機ＥＬ発光体装置がイルミネーション装置における発光装置に組み込まれたものである
ことを特徴とする無機ＥＬ発光体装置。
【請求項１３】
無機ＥＬ発光体を具備した無機ＥＬ発光体装置であって、
前記無機ＥＬ発光体装置がクリスマスツリー装置における発光装置に組み込まれたものである
ことを特徴とする無機ＥＬ発光体装置。
【請求項１４】
無機ＥＬ発光体を具備した無機ＥＬ発光体装置であって、
前記無機ＥＬ発光体装置が衣服における発光装置に組み込まれたものである
ことを特徴とする無機ＥＬ発光体装置。
【請求項１５】
無機ＥＬ発光体を具備した無機ＥＬ発光体装置であって、
前記無機ＥＬ発光体装置がヘルメットに組み込まれたものである
ことを特徴とする無機ＥＬ発光体装置。
【請求項１６】
無機ＥＬ発光体を具備した無機ＥＬ発光体装置であって、
前記無機ＥＬ発光体装置が玩具における発光装置に組み込まれたものである
ことを特徴とする無機ＥＬ発光体装置。
【請求項１７】
無機ＥＬ発光体を具備した無機ＥＬ発光体装置であって、
前記無機ＥＬ発光体装置が家庭用電気製品における発光装置に組み込まれたものである
ことを特徴とする無機ＥＬ発光体装置。
【請求項１８】
無機ＥＬ発光体を具備した無機ＥＬ発光体装置であって、
前記無機ＥＬ発光体装置がオフィス用電気製品における発光装置に組み込まれたものである
ことを特徴とする無機ＥＬ発光体装置。
【請求項１９】
無機ＥＬ発光体を具備した無機ＥＬ発光体装置であって、
前記無機ＥＬ発光体装置が家具における発光装置に組み込まれたものである
ことを特徴とする無機ＥＬ発光体装置。
【請求項２０】
無機ＥＬ発光体を具備した無機ＥＬ発光体装置であって、
前記無機ＥＬ発光体装置が計算機における発光装置に組み込まれたものである
ことを特徴とする無機ＥＬ発光体装置。
【請求項２１】
無機ＥＬ発光体を具備した無機ＥＬ発光体装置であって、
前記無機ＥＬ発光体装置が計算機周辺機器における発光装置に組み込まれたものである
ことを特徴とする無機ＥＬ発光体装置。
【請求項２２】
無機ＥＬ発光体を具備した無機ＥＬ発光体装置であって、
前記無機ＥＬ発光体装置がワードプロセッサにおける発光装置に組み込まれたものである
ことを特徴とする無機ＥＬ発光体装置。
【請求項２３】
無機ＥＬ発光体を具備した無機ＥＬ発光体装置であって、
前記無機ＥＬ発光体装置が印刷機における発光装置に組み込まれたものである
ことを特徴とする無機ＥＬ発光体装置。
【請求項２４】
無機ＥＬ発光体を具備した無機ＥＬ発光体装置であって、
前記無機ＥＬ発光体装置が音響機器における発光装置に組み込まれたものである
ことを特徴とする無機ＥＬ発光体装置。
【請求項２５】
無機ＥＬ発光体を具備した無機ＥＬ発光体装置であって、
前記無機ＥＬ発光体装置が映像機器における発光装置に組み込まれたものである
ことを特徴とする無機ＥＬ発光体装置。
【請求項２６】
無機ＥＬ発光体を具備した無機ＥＬ発光体装置であって、
前記無機ＥＬ発光体装置が通信機器における発光装置に組み込まれたものである
ことを特徴とする無機ＥＬ発光体装置。
【請求項２７】
無機ＥＬ発光体を具備した無機ＥＬ発光体装置であって、
前記無機ＥＬ発光体装置が健康機器における発光装置に組み込まれたものである
ことを特徴とする無機ＥＬ発光体装置。
【請求項２８】
無機ＥＬ発光体を具備した無機ＥＬ発光体装置であって、
前記無機ＥＬ発光体装置が治療機器における発光装置に組み込まれたものである
ことを特徴とする無機ＥＬ発光体装置。
【請求項２９】
無機ＥＬ発光体を具備した無機ＥＬ発光体装置であって、
前記無機ＥＬ発光体装置が検査装置における発光装置に組み込まれたものである
ことを特徴とする無機ＥＬ発光体装置。
【請求項３０】
無機ＥＬ発光体を具備した無機ＥＬ発光体装置であって、
前記無機ＥＬ発光体装置が携帯機器における発光装置に組み込まれたものである
ことを特徴とする無機ＥＬ発光体装置。
【請求項３１】
無機ＥＬ発光体を具備した無機ＥＬ発光体装置であって、
前記無機ＥＬ発光体装置が自動販売機における発光装置に組み込まれたものである
ことを特徴とする無機ＥＬ発光体装置。
【請求項３２】
無機ＥＬ発光体を具備した無機ＥＬ発光体装置であって、
前記無機ＥＬ発光体装置が発光インジケータ装置に組み込まれたものである
ことを特徴とする無機ＥＬ発光体装置。
【請求項３３】
無機ＥＬ発光体を具備した無機ＥＬ発光体装置であって、
前記無機ＥＬ発光体装置が家庭用電気製品における発光インジケータ装置に組み込まれたものである
ことを特徴とする無機ＥＬ発光体装置。
【請求項３４】
無機ＥＬ発光体を具備した無機ＥＬ発光体装置であって、
前記無機ＥＬ発光体装置がオフィス用電気製品における発光インジケータ装置に組み込まれたものである
ことを特徴とする無機ＥＬ発光体装置。
【請求項３５】
無機ＥＬ発光体を具備した無機ＥＬ発光体装置であって、
前記無機ＥＬ発光体装置が家具における発光インジケータ装置に組み込まれたものである
ことを特徴とする無機ＥＬ発光体装置。
【請求項３６】
無機ＥＬ発光体を具備した無機ＥＬ発光体装置であって、
前記無機ＥＬ発光体装置が計算機における発光インジケータ装置に組み込まれたものである
ことを特徴とする無機ＥＬ発光体装置。
【請求項３７】
無機ＥＬ発光体を具備した無機ＥＬ発光体装置であって、
前記無機ＥＬ発光体装置が計算機周辺機器における発光インジケータ装置に組み込まれたものである
ことを特徴とする無機ＥＬ発光体装置。
【請求項３８】
無機ＥＬ発光体を具備した無機ＥＬ発光体装置であって、
前記無機ＥＬ発光体装置がワードプロセッサにおける発光インジケータ装置に組み込まれたものである
ことを特徴とする無機ＥＬ発光体装置。
【請求項３９】
無機ＥＬ発光体を具備した無機ＥＬ発光体装置であって、
前記無機ＥＬ発光体装置が印刷機における発光インジケータ装置に組み込まれたものである
ことを特徴とする無機ＥＬ発光体装置。
【請求項４０】
無機ＥＬ発光体を具備した無機ＥＬ発光体装置であって、
前記無機ＥＬ発光体装置が音響機器における発光インジケータ装置に組み込まれたものである
ことを特徴とする無機ＥＬ発光体装置。
【請求項４１】
無機ＥＬ発光体を具備した無機ＥＬ発光体装置であって、
前記無機ＥＬ発光体装置が映像機器における発光インジケータ装置に組み込まれたものである
ことを特徴とする無機ＥＬ発光体装置。
【請求項４２】
無機ＥＬ発光体を具備した無機ＥＬ発光体装置であって、
前記無機ＥＬ発光体装置が通信機器における発光インジケータ装置に組み込まれたものである
ことを特徴とする無機ＥＬ発光体装置。
【請求項４３】
無機ＥＬ発光体を具備した無機ＥＬ発光体装置であって、
前記無機ＥＬ発光体装置が健康機器における発光インジケータ装置に組み込まれたものである
ことを特徴とする無機ＥＬ発光体装置。
【請求項４４】
無機ＥＬ発光体を具備した無機ＥＬ発光体装置であって、
前記無機ＥＬ発光体装置が治療機器における発光インジケータ装置に組み込まれたものである
ことを特徴とする無機ＥＬ発光体装置。
【請求項４５】
無機ＥＬ発光体を具備した無機ＥＬ発光体装置であって、
前記無機ＥＬ発光体装置が検査装置における発光インジケータ装置に組み込まれたものである
ことを特徴とする無機ＥＬ発光体装置。
【請求項４６】
無機ＥＬ発光体を具備した無機ＥＬ発光体装置であって、
前記無機ＥＬ発光体装置が携帯機器における発光インジケータ装置に組み込まれたものである
ことを特徴とする無機ＥＬ発光体装置。
【請求項４７】
無機ＥＬ発光体を具備した無機ＥＬ発光体装置であって、
前記無機ＥＬ発光体装置が自動販売機における発光インジケータ装置に組み込まれたものである
ことを特徴とする無機ＥＬ発光体装置。
【請求項４８】
無機ＥＬ発光体を具備した無機ＥＬ発光体装置であって、
前記無機ＥＬ発光体装置が自転車における発光装置に組み込まれたものである
ことを特徴とする無機ＥＬ発光体装置。
【請求項４９】
無機ＥＬ発光体を具備した無機ＥＬ発光体装置であって、
前記無機ＥＬ発光体装置が自転車におけるヘッドランプ装置に組み込まれたものである
ことを特徴とする無機ＥＬ発光体装置。
【請求項５０】
無機ＥＬ発光体を具備した無機ＥＬ発光体装置であって、
前記無機ＥＬ発光体装置が自転車における視認安全装置に組み込まれたものである
ことを特徴とする無機ＥＬ発光体装置。
【請求項５１】
無機ＥＬ発光体を具備した無機ＥＬ発光体装置であって、
前記無機ＥＬ発光体装置が屋内照明装置に組み込まれたものである
ことを特徴とする無機ＥＬ発光体装置。
【請求項５２】
無機ＥＬ発光体を具備した無機ＥＬ発光体装置であって、
前記無機ＥＬ発光体装置が手術用照明装置に組み込まれたものである
ことを特徴とする無機ＥＬ発光体装置。
【請求項５３】
無機ＥＬ発光体を具備した無機ＥＬ発光体装置であって、
前記無機ＥＬ発光体装置が病院内照明装置に組み込まれたものである
ことを特徴とする無機ＥＬ発光体装置。
【請求項５４】
無機ＥＬ発光体を具備した無機ＥＬ発光体装置であって、
前記無機ＥＬ発光体装置が電子機器が設置された屋内の照明装置に組み込まれたものである
ことを特徴とする無機ＥＬ発光体装置。
【請求項５５】
無機ＥＬ発光体を具備した無機ＥＬ発光体装置であって、
前記無機ＥＬ発光体装置が美術館内の照明装置に組み込まれたものである
ことを特徴とする無機ＥＬ発光体装置。
【請求項５６】
無機ＥＬ発光体を具備した無機ＥＬ発光体装置であって、
前記無機ＥＬ発光体装置が博物館内の照明装置に組み込まれたものである
ことを特徴とする無機ＥＬ発光体装置。
【請求項５７】
無機ＥＬ発光体を具備した無機ＥＬ発光体装置であって、
前記無機ＥＬ発光体装置が樹脂硬化プロセス用照明装置に組み込まれたものである
ことを特徴とする無機ＥＬ発光体装置。
【請求項５８】
無機ＥＬ発光体を具備した無機ＥＬ発光体装置であって、
前記無機ＥＬ発光体装置がＵＶ硬化プロセス用照明装置に組み込まれたものである
ことを特徴とする無機ＥＬ発光体装置。
【請求項５９】
無機ＥＬ発光体を具備した無機ＥＬ発光体装置であって、
前記無機ＥＬ発光体装置が検査装置における光照射装置に組み込まれたものである
ことを特徴とする無機ＥＬ発光体装置。
【請求項６０】
無機ＥＬ発光体を具備した無機ＥＬ発光体装置であって、
前記無機ＥＬ発光体装置が顕微鏡における光照射装置に組み込まれたものである
ことを特徴とする無機ＥＬ発光体装置。
【請求項６１】
無機ＥＬ発光体を具備した無機ＥＬ発光体装置であって、
前記無機ＥＬ発光体装置が液体検査装置における光照射装置に組み込まれたものである
ことを特徴とする無機ＥＬ発光体装置。
【請求項６２】
無機ＥＬ発光体を具備した無機ＥＬ発光体装置であって、
前記無機ＥＬ発光体装置が尿検査装置における光照射装置に組み込まれたものである
ことを特徴とする無機ＥＬ発光体装置。
【請求項６３】
無機ＥＬ発光体を具備した無機ＥＬ発光体装置であって、
前記無機ＥＬ発光体装置が血液検査装置における光照射装置に組み込まれたものである
ことを特徴とする無機ＥＬ発光体装置。
【請求項６４】
無機ＥＬ発光体を具備した無機ＥＬ発光体装置であって、
前記無機ＥＬ発光体装置が水質検査装置における光照射装置に組み込まれたものである
ことを特徴とする無機ＥＬ発光体装置。
【請求項６５】
無機ＥＬ発光体を具備した無機ＥＬ発光体装置であって、
前記無機ＥＬ発光体装置が固体検査装置における光照射装置に組み込まれたものである
ことを特徴とする無機ＥＬ発光体装置。
【請求項６６】
無機ＥＬ発光体を具備した無機ＥＬ発光体装置であって、
前記無機ＥＬ発光体装置が外形検査装置における光照射装置に組み込まれたものである
ことを特徴とする無機ＥＬ発光体装置。
【請求項６７】
無機ＥＬ発光体を具備した無機ＥＬ発光体装置であって、
前記無機ＥＬ発光体装置が表面傷検査装置における光照射装置に組み込まれたものである
ことを特徴とする無機ＥＬ発光体装置。
【請求項６８】
無機ＥＬ発光体を具備した無機ＥＬ発光体装置であって、
前記無機ＥＬ発光体装置が輝度測定装置における光照射装置に組み込まれたものである
ことを特徴とする無機ＥＬ発光体装置。
【請求項６９】
無機ＥＬ発光体を具備した無機ＥＬ発光体装置であって、
前記無機ＥＬ発光体装置がヘイズ測定装置における光照射装置に組み込まれたものである
ことを特徴とする無機ＥＬ発光体装置。
【請求項７０】
無機ＥＬ発光体を具備した無機ＥＬ発光体装置であって、
前記無機ＥＬ発光体装置がグレア測定装置における光照射装置に組み込まれたものである
ことを特徴とする無機ＥＬ発光体装置。
【請求項７１】
無機ＥＬ発光体を具備した無機ＥＬ発光体装置であって、
前記無機ＥＬ発光体装置が眼球検査装置における光照射装置に組み込まれたものである
ことを特徴とする無機ＥＬ発光体装置。
【請求項７２】
無機ＥＬ発光体を具備した無機ＥＬ発光体装置であって、
前記無機ＥＬ発光体装置が視線検出装置における光照射装置に組み込まれたものである
ことを特徴とする無機ＥＬ発光体装置。
【請求項７３】
無機ＥＬ発光体を具備した無機ＥＬ発光体装置であって、
前記無機ＥＬ発光体装置が煙感知装置における光照射装置に組み込まれたものである
ことを特徴とする無機ＥＬ発光体装置。
【請求項７４】
無機ＥＬ発光体を具備した無機ＥＬ発光体装置であって、
前記無機ＥＬ発光体装置が消化器検査装置における光照射装置に組み込まれたものである
ことを特徴とする無機ＥＬ発光体装置。
【請求項７５】
無機ＥＬ発光体を具備した無機ＥＬ発光体装置であって、
前記無機ＥＬ発光体装置が口腔検査装置における光照射装置に組み込まれたものである
ことを特徴とする無機ＥＬ発光体装置。
【請求項７６】
無機ＥＬ発光体を具備した無機ＥＬ発光体装置であって、
前記無機ＥＬ発光体装置が手術用装置における光照射装置に組み込まれたものである
ことを特徴とする無機ＥＬ発光体装置。
【請求項７７】
無機ＥＬ発光体を具備した無機ＥＬ発光体装置であって、
前記無機ＥＬ発光体装置が内視鏡装置における光照射装置に組み込まれたものである
ことを特徴とする無機ＥＬ発光体装置。
【請求項７８】
無機ＥＬ発光体を具備した無機ＥＬ発光体装置であって、
前記無機ＥＬ発光体装置が歯科装置における光照射装置に組み込まれたものである
ことを特徴とする無機ＥＬ発光体装置。
【請求項７９】
無機ＥＬ発光体を具備した無機ＥＬ発光体装置であって、
前記無機ＥＬ発光体装置が被写体照明用の照明装置に組み込まれたものである
ことを特徴とする無機ＥＬ発光体装置。
【請求項８０】
無機ＥＬ発光体を具備した無機ＥＬ発光体装置であって、
前記無機ＥＬ発光体装置がヘルメットにおける照明装置に組み込まれたものである
ことを特徴とする無機ＥＬ発光体装置。
【請求項８１】
無機ＥＬ発光体を具備した無機ＥＬ発光体装置であって、
前記無機ＥＬ発光体装置が携帯装置における照明装置に組み込まれたものである
ことを特徴とする無機ＥＬ発光体装置。
【請求項８２】
無機ＥＬ発光体を具備した無機ＥＬ発光体装置であって、
前記無機ＥＬ発光体装置が移動装置におけるヘッドランプ装置に組み込まれたものである
ことを特徴とする無機ＥＬ発光体装置。
【請求項８３】
無機ＥＬ発光体を具備した無機ＥＬ発光体装置であって、
前記無機ＥＬ発光体装置が移動装置におけるフォグランプ装置に組み込まれたものである
ことを特徴とする無機ＥＬ発光体装置。
【請求項８４】
無機ＥＬ発光体を具備した無機ＥＬ発光体装置であって、
前記無機ＥＬ発光体装置が移動装置におけるナンバープレート装置に組み込まれたものである
ことを特徴とする無機ＥＬ発光体装置。
【請求項８５】
無機ＥＬ発光体を具備した無機ＥＬ発光体装置であって、
前記無機ＥＬ発光体装置が移動装置における方向指示装置に組み込まれたものである
ことを特徴とする無機ＥＬ発光体装置。
【請求項８６】
無機ＥＬ発光体を具備した無機ＥＬ発光体装置であって、
前記無機ＥＬ発光体装置が自転車における方向指示装置に組み込まれたものである
ことを特徴とする無機ＥＬ発光体装置。
【請求項８７】
無機ＥＬ発光体を具備した無機ＥＬ発光体装置であって、
前記無機ＥＬ発光体装置が双眼鏡における光照射装置に組み込まれたものである
ことを特徴とする無機ＥＬ発光体装置。
【請求項８８】
無機ＥＬ発光体を具備した無機ＥＬ発光体装置であって、
前記無機ＥＬ発光体装置が冷蔵庫における庫内照明装置に組み込まれたものである
ことを特徴とする無機ＥＬ発光体装置。
【請求項８９】
無機ＥＬ発光体を具備した無機ＥＬ発光体装置であって、
前記無機ＥＬ発光体装置が玩具における表示装置に組み込まれたものである
ことを特徴とする無機ＥＬ発光体装置。
【請求項９０】
無機ＥＬ発光体を具備した無機ＥＬ発光体装置であって、
前記無機ＥＬ発光体装置が家庭用電気製品における表示装置に組み込まれたものである
ことを特徴とする無機ＥＬ発光体装置。
【請求項９１】
無機ＥＬ発光体を具備した無機ＥＬ発光体装置であって、
前記無機ＥＬ発光体装置がオフィス用電気製品における表示装置に組み込まれたものである
ことを特徴とする無機ＥＬ発光体装置。
【請求項９２】
無機ＥＬ発光体を具備した無機ＥＬ発光体装置であって、
前記無機ＥＬ発光体装置が家具における表示装置に組み込まれたものである
ことを特徴とする無機ＥＬ発光体装置。
【請求項９３】
無機ＥＬ発光体を具備した無機ＥＬ発光体装置であって、
前記無機ＥＬ発光体装置が計算機における表示装置に組み込まれたものである
ことを特徴とする無機ＥＬ発光体装置。
【請求項９４】
無機ＥＬ発光体を具備した無機ＥＬ発光体装置であって、
前記無機ＥＬ発光体装置が計算機周辺機器における表示装置に組み込まれたものである
ことを特徴とする無機ＥＬ発光体装置。
【請求項９５】
無機ＥＬ発光体を具備した無機ＥＬ発光体装置であって、
前記無機ＥＬ発光体装置がワードプロセッサにおける表示装置に組み込まれたものである
ことを特徴とする無機ＥＬ発光体装置。
【請求項９６】
無機ＥＬ発光体を具備した無機ＥＬ発光体装置であって、
前記無機ＥＬ発光体装置が印刷装置における表示装置に組み込まれたものである
ことを特徴とする無機ＥＬ発光体装置。
【請求項９７】
無機ＥＬ発光体を具備した無機ＥＬ発光体装置であって、
前記無機ＥＬ発光体装置が音響機器における表示装置に組み込まれたものである
ことを特徴とする無機ＥＬ発光体装置。
【請求項９８】
無機ＥＬ発光体を具備した無機ＥＬ発光体装置であって、
前記無機ＥＬ発光体装置が映像機器における表示装置に組み込まれたものである
ことを特徴とする無機ＥＬ発光体装置。
【請求項９９】
無機ＥＬ発光体を具備した無機ＥＬ発光体装置であって、
前記無機ＥＬ発光体装置が通信機器における表示装置に組み込まれたものである
ことを特徴とする無機ＥＬ発光体装置。
【請求項１００】
無機ＥＬ発光体を具備した無機ＥＬ発光体装置であって、
前記無機ＥＬ発光体装置が健康機器における表示装置に組み込まれたものである
ことを特徴とする無機ＥＬ発光体装置。
【請求項１０１】
無機ＥＬ発光体を具備した無機ＥＬ発光体装置であって、
前記無機ＥＬ発光体装置が治療機器における表示装置に組み込まれたものである
ことを特徴とする無機ＥＬ発光体装置。
【請求項１０２】
無機ＥＬ発光体を具備した無機ＥＬ発光体装置であって、
前記無機ＥＬ発光体装置が検査装置における表示装置に組み込まれたものである
ことを特徴とする無機ＥＬ発光体装置。
【請求項１０３】
無機ＥＬ発光体を具備した無機ＥＬ発光体装置であって、
前記無機ＥＬ発光体装置が携帯機器における表示装置に組み込まれたものである
ことを特徴とする無機ＥＬ発光体装置。
【請求項１０４】
無機ＥＬ発光体を具備した無機ＥＬ発光体装置であって、
前記無機ＥＬ発光体装置が衣服における表示装置に組み込まれたものである
ことを特徴とする無機ＥＬ発光体装置。
【請求項１０５】
無機ＥＬ発光体を具備した無機ＥＬ発光体装置であって、
前記無機ＥＬ発光体装置が自動販売機における表示装置に組み込まれたものである
ことを特徴とする無機ＥＬ発光体装置。
【請求項１０６】
無機ＥＬ発光体を具備した無機ＥＬ発光体装置であって、
前記無機ＥＬ発光体装置が視線検出装置を有するヘッドアップディスプレイに組み込まれたものである
ことを特徴とする無機ＥＬ発光体装置。
【請求項１０７】
無機ＥＬ発光体を具備した無機ＥＬ発光体装置であって、
前記無機ＥＬ発光体装置がレーザー発光装置に組み込まれてなり、
前記無機ＥＬ発光体装置からの光がレーザー光に変換されるよう構成されてなる
ことを特徴とする無機ＥＬ発光体装置。
【請求項１０８】
無機ＥＬ発光体を具備した無機ＥＬ発光体装置であって、
前記無機ＥＬ発光体装置がレーザー加工装置におけるレーザー発光装置に組み込まれてなり、
前記無機ＥＬ発光体装置からの光がレーザー光に変換されるよう構成されてなる
ことを特徴とする無機ＥＬ発光体装置。
【請求項１０９】
無機ＥＬ発光体を具備した無機ＥＬ発光体装置であって、
前記無機ＥＬ発光体装置が除電装置に組み込まれてなり、
前記無機ＥＬ発光体装置からの光によって静電気が除電されるよう構成されてなる
ことを特徴とする無機ＥＬ発光体装置。
【請求項１１０】
無機ＥＬ発光体を具備した無機ＥＬ発光体装置であって、
前記無機ＥＬ発光体装置が光発生装置に組み込まれてなり、
前記無機ＥＬ発光体装置からの光の波長が変換されるよう構成されてなる
ことを特徴とする無機ＥＬ発光体装置。
【請求項１１１】
無機ＥＬ発光体が層状発光体であることを特徴とする請求項１〜請求項１１０いずれかの無機ＥＬ発光体装置。
【請求項１１２】
無機ＥＬ発光体が保持面に塗設されてなることを特徴とする請求項１〜請求項１１１いずれかの無機ＥＬ発光体装置。
【請求項１１３】
無機ＥＬ発光体は、薄膜状のものであって、保持面上に成膜されてなることを特徴とする請求項１〜請求項１１２いずれかの無機ＥＬ発光体装置。
【請求項１１４】
無機ＥＬ発光体を具備した無機ＥＬ発光体装置であって、
前記無機ＥＬ発光体装置がプロジェクタに組み込まれてなり、
前記無機ＥＬ発光体装置からの光が前記プロジェクタの透過性画像表示部に通されて投影されるよう構成されてなり、
前記無機ＥＬ発光体は、層状発光体で、保持面に塗設されてなる
ことを特徴とする無機ＥＬ発光体装置。
【請求項１１５】
無機ＥＬ発光体を具備した無機ＥＬ発光体装置であって、
前記無機ＥＬ発光体装置が発光スイッチに組み込まれてなり、
前記無機ＥＬ発光体装置からの光が前記発光スイッチの光拡散透過部に通されて発光するよう構成されてなり、
前記無機ＥＬ発光体は、層状発光体で、保持面に塗設されてなる
ことを特徴とする無機ＥＬ発光体装置。
【請求項１１６】
無機ＥＬ発光体を具備した無機ＥＬ発光体装置であって、
前記無機ＥＬ発光体装置が標識灯装置に組み込まれてなり、
前記無機ＥＬ発光体装置からの光が前記標識灯装置の光透過性表示部に照射されて光透過性表示部上の表示が強調されるよう構成されてなり、
前記無機ＥＬ発光体は、層状発光体で、保持面に塗設されてなる
ことを特徴とする無機ＥＬ発光体装置。
【請求項１１７】
無機ＥＬ発光体を具備した無機ＥＬ発光体装置であって、
前記無機ＥＬ発光体装置が面状照明装置に組み込まれてなり、
前記無機ＥＬ発光体は、層状発光体で、保持面に塗設されてなる
ことを特徴とする無機ＥＬ発光体装置。
【請求項１１８】
無機ＥＬ発光体を具備した無機ＥＬ発光体装置であって、
前記無機ＥＬ発光体装置が移動装置における内部照明装置に組み込まれてなり、
前記無機ＥＬ発光体は、層状発光体で、保持面に塗設されてなる
ことを特徴とする無機ＥＬ発光体装置。
【請求項１１９】
無機ＥＬ発光体を具備した無機ＥＬ発光体装置であって、
前記無機ＥＬ発光体装置が画像形成装置に組み込まれてなり、
前記無機ＥＬ発光体は、層状発光体で、保持面に塗設されてなる
ことを特徴とする無機ＥＬ発光体装置。
【請求項１２０】
無機ＥＬ発光体を具備した無機ＥＬ発光体装置であって、
前記無機ＥＬ発光体装置がファックス送・受信機に組み込まれてなり、
前記無機ＥＬ発光体は、層状発光体で、保持面に塗設されてなる
ことを特徴とする無機ＥＬ発光体装置。
【請求項１２１】
無機ＥＬ発光体を具備した無機ＥＬ発光体装置であって、
前記無機ＥＬ発光体装置がコピー機に組み込まれてなり、
前記無機ＥＬ発光体は、層状発光体で、保持面に塗設されてなる
ことを特徴とする無機ＥＬ発光体装置。
【請求項１２２】
無機ＥＬ発光体を具備した無機ＥＬ発光体装置であって、
前記無機ＥＬ発光体装置が印刷機に組み込まれてなり、
前記無機ＥＬ発光体は、層状発光体で、保持面に塗設されてなる
ことを特徴とする無機ＥＬ発光体装置。
【請求項１２３】
無機ＥＬ発光体装置が組み込まれた除電装置を具備することを特徴とする請求項１１９〜請求項１２２いずれかの無機ＥＬ発光体装置。
【請求項１２４】
無機ＥＬ発光体を具備した無機ＥＬ発光体装置であって、
前記無機ＥＬ発光体装置が情報読取装置に組み込まれてなり、
前記無機ＥＬ発光体装置からの光が対象部に照射されて表面の情報が読み取られるよう構成されてなり、
前記無機ＥＬ発光体は、層状発光体で、保持面に塗設されてなる
ことを特徴とする無機ＥＬ発光体装置。
【請求項１２５】
無機ＥＬ発光体装置が組み込まれ、前記無機ＥＬ発光体装置からの光が対象部に照射されて表面の情報が読み取られるよう構成されてなる情報読取装置を具備することを特徴とする請求項１１９〜請求項１２２いずれかの無機ＥＬ発光体装置。
【請求項１２６】
情報読取装置が網膜読取装置であることを特徴とする請求項１２４の無機ＥＬ発光体装置。
【請求項１２７】
情報読取装置が静脈パターン読取装置であることを特徴とする請求項１２４の無機ＥＬ発光体装置。
【請求項１２８】
情報読取装置が指紋パターン読取装置であることを特徴とする請求項１２４の無機ＥＬ発光体装置。
【請求項１２９】
無機ＥＬ発光体を具備した無機ＥＬ発光体装置であって、
前記無機ＥＬ発光体装置が露光装置に組み込まれてなり、
前記無機ＥＬ発光体装置からの光が対象部に照射されるよう構成されてなり、
前記無機ＥＬ発光体は、層状発光体で、保持面に塗設されてなる
ことを特徴とする無機ＥＬ発光体装置。
【請求項１３０】
無機ＥＬ発光体を具備した無機ＥＬ発光体装置であって、
前記無機ＥＬ発光体装置が表示装置に組み込まれてなり、
前記無機ＥＬ発光体装置からの光が表示面に照射されて情報が表示されるよう構成されてなり、
前記無機ＥＬ発光体は、層状発光体で、保持面に成膜されてなる
ことを特徴とする無機ＥＬ発光体装置。
【請求項１３１】
表示装置の表示面が可撓性を有するよう構成されてなることを特徴とする請求項１３０の無機ＥＬ発光体装置。
【請求項１３２】
表示装置の無機ＥＬ発光体の点光源または線光源からなる面内の点滅もしくは発光色の違いによって情報が表示されるよう構成されてなることを特徴とする請求項１３０の無機ＥＬ発光体装置。
【請求項１３３】
表示装置が移動装置の内部における表示装置であることを特徴とする請求項１３０の無機ＥＬ発光体装置。
【請求項１３４】
表示装置がカーナビゲーションシステムであることを特徴とする請求項１３３の無機ＥＬ発光体装置。
【請求項１３５】
表示装置がインスツルメンタルパネルであることを特徴とする請求項１３３の無機ＥＬ発光体装置。
【請求項１３６】
無機ＥＬ発光体を具備した無機ＥＬ発光体装置であって、
前記無機ＥＬ発光体装置が標識灯装置に組み込まれてなり、
前記無機ＥＬ発光体装置からの光が光透過性表示部に照射され、該光透過性表示部上の表示が強調されるよう構成されてなり、
前記無機ＥＬ発光体は、層状発光体で、保持面に成膜されてなる
ことを特徴とする無機ＥＬ発光体装置。
【請求項１３７】
表示部が対向する二面を具備する両面表示型のものであることを特徴とする請求項１１６または請求項１３６の無機ＥＬ発光体装置。
【請求項１３８】
表示部が看板における表示部であることを特徴とする請求項１１６、請求項１３６、請求項１３７いずれかの無機ＥＬ発光体装置。
【請求項１３９】
表示装置が時計であることを特徴とする請求項１３０の無機ＥＬ発光体装置。
【請求項１４０】
表示装置が計器であることを特徴とする請求項１３０の無機ＥＬ発光体装置。
【請求項１４１】
無機ＥＬ発光体を具備した無機ＥＬ発光体装置であって、
前記無機ＥＬ発光体装置が発光スイッチ装置に組み込まれてなり、
前記無機ＥＬ発光体装置からの光が発光スイッチ装置における光拡散透過部を通して発光するよう構成されてなり、
前記無機ＥＬ発光体は、層状発光体で、保持面に成膜されてなる
ことを特徴とする無機ＥＬ発光体装置。
【請求項１４２】
無機ＥＬ発光体を具備した無機ＥＬ発光体装置であって、
前記無機ＥＬ発光体装置が移動装置における外部発光装置に組み込まれてなり、
前記無機ＥＬ発光体は、層状発光体で、保持面に成膜されてなる
ことを特徴とする無機ＥＬ発光体装置。
【請求項１４３】
外部発光装置がトラックの導風板装置であることを特徴とする請求項１４２の無機ＥＬ発光体装置。
【請求項１４４】
無機ＥＬ発光体を具備した無機ＥＬ発光体装置であって、
前記無機ＥＬ発光体装置が床用マット装置に組み込まれてなり、
前記無機ＥＬ発光体は、層状発光体で、保持面に成膜されてなる
ことを特徴とする無機ＥＬ発光体装置。
【請求項１４５】
無機ＥＬ発光体を具備した無機ＥＬ発光体装置であって、
前記無機ＥＬ発光体装置が移動装置における内部照明装置に組み込まれてなり、
前記無機ＥＬ発光体は、層状発光体で、保持面に成膜されてなる
ことを特徴とする無機ＥＬ発光体装置。
【請求項１４６】
無機ＥＬ発光体を具備した無機ＥＬ発光体装置であって、
前記無機ＥＬ発光体装置が遊戯機に組み込まれてなり、
前記無機ＥＬ発光体装置からの光が遊技機における遊戯部で発光するよう構成されてなり、
前記無機ＥＬ発光体は、層状発光体で、保持面に成膜されてなる
ことを特徴とする無機ＥＬ発光体装置。
【請求項１４７】
無機ＥＬ発光体装置からの光が遊技機における光透過性表示部に導かれ、情報が遊戯面に表示されるよう構成されてなることを特徴とする請求項１４６の無機ＥＬ発光体装置。
【請求項１４８】
無機ＥＬ発光体を具備した無機ＥＬ発光体装置であって、
前記無機ＥＬ発光体装置が屋外照明装置に組み込まれたものである
ことを特徴とする無機ＥＬ発光体装置。
【請求項１４９】
標識灯装置が点滅型のものであることを特徴とする請求項１０、請求項１１６又は請求項１３６の無機ＥＬ発光体装置。
【発明の詳細な説明】
【技術分野】
【０００１】
本発明は、無機ＥＬ発光体を具備した無機ＥＬ発光体装置に関する。
【背景技術】
【０００２】
従来より発光源として各種の装置が開発されて来ている。例えば、白熱電球、陰極管、ＬＥＤ，ＥＬ（エレクトロルミネッセンス）等が知られている。
【０００３】
ところで、白熱電球は、高熱化、色の調整が困難であり、更には小型化にも限界が有る。しかも、形状の自由度が少ない。陰極管は、紫外線・電磁波の発生の問題が有る。又、水銀の使用が不可避であり、環境面での問題も有る。更には、小型化にも限界が有る。しかも、形状の自由度が少ない。ＬＥＤは、その直径が０．６ｍｍ〜数ｍｍ程度の点状光源であり、比較的小型であるものの、これ以上の小型化は非常に困難である。又、線状光源や面状光源として用いる場合、点状光源（ＬＥＤ）を羅列することになり、輝度の均一性が得られ難い。更には、配線が複雑になる。
【０００４】
斯かる観点から、白熱電球、陰極管やＬＥＤの代わりにＥＬが提案され始めている。
さて、ＥＬとしては、特に、有機ＥＬが知られている。尚、ＥＬとして、有機ＥＬのみならず、無機ＥＬも知られている。但し、ＥＬは、主として、有機ＥＬに注目が集まって来ており、無機ＥＬに対する研究開発は余り進んでいない。
【０００５】
しかしながら、有機ＥＬは、複雑な分子を発光体として用いる。従って、その製造には、複雑な工程を必要とし、又、多量の有機溶媒を使用する。又、有機ＥＬは吸湿によって加水分解が起こり易い。
【０００６】
又、有機ＥＬは、発光材料の導電性が低い為、例えば１００ｎｍ以下と言った極めて薄い薄膜として発光体を形成しなければならない。このような薄膜を形成するに際しては、クラスター塊の残存や凝集などによって、均一な厚さの薄膜を形成するのは大変である。更に、有機ＥＬは、酸素や水分で分解され易いことから、薄膜に欠陥が出来易い。このような点からも均一な薄膜の形成は大変である。尚、薄膜の厚さにムラが出来ると、輝度ムラが生じる。このことは、発光・照明・画像表示などの品位が低下することになる。
【０００７】
又、有機ＥＬを光源に用い、これを配列したものを面光源や表示装置に用いることが出来る。この際、輝度ムラを補正し、発光の均一性や画像の品位を改善する為、アクティブマトリックス方式の駆動装置が用いられる。そうすると、パッシブマトリックス方式の駆動装置を用いる場合に比べてコストが高いものになる。
【０００８】
又、有機ＥＬを光源に用いる場合、電極薄膜との間でキャリア（電子、正孔）の注入特性がデバイスの特性に大きな影響を与える。すなわち、電界発光素子では、半導体発光層へのキャリア（電子、正孔）の注入がデバイス特性を左右する。ところで、有機ＥＬでは界面準位が出来難い為、電極表面の仕事関数制御が効率向上の為に必要不可欠となっている。従って、電極材料の制約が多く、選択肢が限られている。のみならず、電極層は多層化が必須となっている。例えば、低抵抗な電極層として利用できる材料は限られており、有機ＥＬをそのまま電極で挟んで通電しても、発光しない場合も有る。そこで、有機ＥＬを中間層で挟み、更に電極層で挟むと言った複雑な構造を採ることが余儀なくされることも多い。
斯かる観点から、有機ＥＬを光源として用いるには難が有る。
【０００９】
それでは、無機ＥＬが有機ＥＬより優れているかと言うと、必ずしも、そうでは無い。このことは、現在、無機ＥＬを用いた装置が少ないことからも理解できる。
【特許文献１】特開２００１−３１２９１３
【特許文献２】特開２００２−１０９９２８
【特許文献３】特開２００４−１３９７８５
【特許文献４】特開２００４−２２７８３５
【特許文献５】特開２００４−２２７８３６
【特許文献６】特開２００４−２２７８３７
【特許文献７】特開２００４−２２７９２９
【特許文献８】特開２００５−３８７４６
【発明の開示】
【発明が解決しようとする課題】
【００１０】
従って、本発明が解決しようとする課題は、無機ＥＬの使用が適した装置を提供することである。
【課題を解決するための手段】
【００１１】
前記の課題は、無機ＥＬ発光体を具備した無機ＥＬ発光体装置であって、
前記無機ＥＬ発光体装置は、
無機ＥＬ発光体を備えた発光源における少なくとも一つの発光面の形状が、三角形、正方形、少なくとも一つの角が直角で無い四角形、五角形〜二十角形、又は前記の形状の少なくとも一部が曲線状に変形された形状、若しくは全体が曲線で構成された形状である
ことを特徴とする無機ＥＬ発光体装置によって解決される。
【００１２】
又、無機ＥＬ発光体を具備した無機ＥＬ発光体装置であって、
前記無機ＥＬ発光体装置が誘蛾灯装置に組み込まれたものである
ことを特徴とする無機ＥＬ発光体装置によって解決される。
【００１３】
又、無機ＥＬ発光体を具備した無機ＥＬ発光体装置であって、
前記無機ＥＬ発光体装置が集魚灯装置に組み込まれたものである
ことを特徴とする無機ＥＬ発光体装置によって解決される。
【００１４】
又、無機ＥＬ発光体を具備した無機ＥＬ発光体装置であって、
前記無機ＥＬ発光体装置がロータリーエンコーダ装置に組み込まれたものである
ことを特徴とする無機ＥＬ発光体装置によって解決される。
【００１５】
又、無機ＥＬ発光体を具備した無機ＥＬ発光体装置であって、
前記無機ＥＬ発光体装置がバーコード読取装置に組み込まれたものである
ことを特徴とする無機ＥＬ発光体装置によって解決される。
【００１６】
又、無機ＥＬ発光体を具備した無機ＥＬ発光体装置であって、
前記無機ＥＬ発光体装置が防犯装置に組み込まれたものである
ことを特徴とする無機ＥＬ発光体装置によって解決される。
【００１７】
又、無機ＥＬ発光体を具備した無機ＥＬ発光体装置であって、
前記無機ＥＬ発光体装置が移動装置における内部発光装置に組み込まれたものである
ことを特徴とする無機ＥＬ発光体装置によって解決される。
【００１８】
又、無機ＥＬ発光体を具備した無機ＥＬ発光体装置であって、
前記無機ＥＬ発光体装置が移動装置におけるシフトレバー装置に組み込まれたものである
ことを特徴とする無機ＥＬ発光体装置によって解決される。
【００１９】
又、無機ＥＬ発光体を具備した無機ＥＬ発光体装置であって、
前記無機ＥＬ発光体装置が移動装置における開閉装置に組み込まれたものである
ことを特徴とする無機ＥＬ発光体装置によって解決される。
【００２０】
又、無機ＥＬ発光体を具備した無機ＥＬ発光体装置であって、
前記無機ＥＬ発光体装置が移動装置における標識灯装置に組み込まれたものである
ことを特徴とする無機ＥＬ発光体装置によって解決される。
【００２１】
又、無機ＥＬ発光体を具備した無機ＥＬ発光体装置であって、
前記無機ＥＬ発光体装置が装飾体における発光装置に組み込まれたものである
ことを特徴とする無機ＥＬ発光体装置によって解決される。
【００２２】
又、無機ＥＬ発光体を具備した無機ＥＬ発光体装置であって、
前記無機ＥＬ発光体装置がイルミネーション装置における発光装置に組み込まれたものである
ことを特徴とする無機ＥＬ発光体装置によって解決される。
【００２３】
又、無機ＥＬ発光体を具備した無機ＥＬ発光体装置であって、
前記無機ＥＬ発光体装置がクリスマスツリー装置における発光装置に組み込まれたものである
ことを特徴とする無機ＥＬ発光体装置によって解決される。
【００２４】
又、無機ＥＬ発光体を具備した無機ＥＬ発光体装置であって、
前記無機ＥＬ発光体装置が衣服における発光装置に組み込まれたものである
ことを特徴とする無機ＥＬ発光体装置によって解決される。
【００２５】
又、無機ＥＬ発光体を具備した無機ＥＬ発光体装置であって、
前記無機ＥＬ発光体装置がヘルメットに組み込まれたものである
ことを特徴とする無機ＥＬ発光体装置によって解決される。
【００２６】
又、無機ＥＬ発光体を具備した無機ＥＬ発光体装置であって、
前記無機ＥＬ発光体装置が玩具における発光装置に組み込まれたものである
ことを特徴とする無機ＥＬ発光体装置によって解決される。
【００２７】
又、無機ＥＬ発光体を具備した無機ＥＬ発光体装置であって、
前記無機ＥＬ発光体装置が家庭用電気製品における発光装置に組み込まれたものである
ことを特徴とする無機ＥＬ発光体装置によって解決される。
【００２８】
又、無機ＥＬ発光体を具備した無機ＥＬ発光体装置であって、
前記無機ＥＬ発光体装置がオフィス用電気製品における発光装置に組み込まれたものである
ことを特徴とする無機ＥＬ発光体装置によって解決される。
【００２９】
又、無機ＥＬ発光体を具備した無機ＥＬ発光体装置であって、
前記無機ＥＬ発光体装置が家具における発光装置に組み込まれたものである
ことを特徴とする無機ＥＬ発光体装置によって解決される。
【００３０】
又、無機ＥＬ発光体を具備した無機ＥＬ発光体装置であって、
前記無機ＥＬ発光体装置が計算機における発光装置に組み込まれたものである
ことを特徴とする無機ＥＬ発光体装置によって解決される。
【００３１】
又、無機ＥＬ発光体を具備した無機ＥＬ発光体装置であって、
前記無機ＥＬ発光体装置が計算機周辺機器における発光装置に組み込まれたものである
ことを特徴とする無機ＥＬ発光体装置によって解決される。
【００３２】
又、無機ＥＬ発光体を具備した無機ＥＬ発光体装置であって、
前記無機ＥＬ発光体装置がワードプロセッサにおける発光装置に組み込まれたものである
ことを特徴とする無機ＥＬ発光体装置によって解決される。
【００３３】
又、無機ＥＬ発光体を具備した無機ＥＬ発光体装置であって、
前記無機ＥＬ発光体装置が印刷機における発光装置に組み込まれたものである
ことを特徴とする無機ＥＬ発光体装置によって解決される。
【００３４】
又、無機ＥＬ発光体を具備した無機ＥＬ発光体装置であって、
前記無機ＥＬ発光体装置が音響機器における発光装置に組み込まれたものである
ことを特徴とする無機ＥＬ発光体装置によって解決される。
【００３５】
又、無機ＥＬ発光体を具備した無機ＥＬ発光体装置であって、
前記無機ＥＬ発光体装置が映像機器における発光装置に組み込まれたものである
ことを特徴とする無機ＥＬ発光体装置によって解決される。
【００３６】
又、無機ＥＬ発光体を具備した無機ＥＬ発光体装置であって、
前記無機ＥＬ発光体装置が通信機器における発光装置に組み込まれたものである
ことを特徴とする無機ＥＬ発光体装置によって解決される。
【００３７】
又、無機ＥＬ発光体を具備した無機ＥＬ発光体装置であって、
前記無機ＥＬ発光体装置が健康機器における発光装置に組み込まれたものである
ことを特徴とする無機ＥＬ発光体装置によって解決される。
【００３８】
又、無機ＥＬ発光体を具備した無機ＥＬ発光体装置であって、
前記無機ＥＬ発光体装置が治療機器における発光装置に組み込まれたものである
ことを特徴とする無機ＥＬ発光体装置によって解決される。
【００３９】
又、無機ＥＬ発光体を具備した無機ＥＬ発光体装置であって、
前記無機ＥＬ発光体装置が検査装置における発光装置に組み込まれたものである
ことを特徴とする無機ＥＬ発光体装置によって解決される。
【００４０】
又、無機ＥＬ発光体を具備した無機ＥＬ発光体装置であって、
前記無機ＥＬ発光体装置が携帯機器における発光装置に組み込まれたものである
ことを特徴とする無機ＥＬ発光体装置によって解決される。
【００４１】
又、無機ＥＬ発光体を具備した無機ＥＬ発光体装置であって、
前記無機ＥＬ発光体装置が自動販売機における発光装置に組み込まれたものである
ことを特徴とする無機ＥＬ発光体装置によって解決される。
【００４２】
又、無機ＥＬ発光体を具備した無機ＥＬ発光体装置であって、
前記無機ＥＬ発光体装置が発光インジケータ装置に組み込まれたものである
ことを特徴とする無機ＥＬ発光体装置によって解決される。
【００４３】
又、無機ＥＬ発光体を具備した無機ＥＬ発光体装置であって、
前記無機ＥＬ発光体装置が家庭用電気製品における発光インジケータ装置に組み込まれたものである
ことを特徴とする無機ＥＬ発光体装置によって解決される。
【００４４】
又、無機ＥＬ発光体を具備した無機ＥＬ発光体装置であって、
前記無機ＥＬ発光体装置がオフィス用電気製品における発光インジケータ装置に組み込まれたものである
ことを特徴とする無機ＥＬ発光体装置によって解決される。
【００４５】
又、無機ＥＬ発光体を具備した無機ＥＬ発光体装置であって、
前記無機ＥＬ発光体装置が家具における発光インジケータ装置に組み込まれたものである
ことを特徴とする無機ＥＬ発光体装置によって解決される。
【００４６】
又、無機ＥＬ発光体を具備した無機ＥＬ発光体装置であって、
前記無機ＥＬ発光体装置が計算機における発光インジケータ装置に組み込まれたものである
ことを特徴とする無機ＥＬ発光体装置によって解決される。
【００４７】
又、無機ＥＬ発光体を具備した無機ＥＬ発光体装置であって、
前記無機ＥＬ発光体装置が計算機周辺機器における発光インジケータ装置に組み込まれたものである
ことを特徴とする無機ＥＬ発光体装置によって解決される。
【００４８】
又、無機ＥＬ発光体を具備した無機ＥＬ発光体装置であって、
前記無機ＥＬ発光体装置がワードプロセッサにおける発光インジケータ装置に組み込まれたものである
ことを特徴とする無機ＥＬ発光体装置によって解決される。
【００４９】
又、無機ＥＬ発光体を具備した無機ＥＬ発光体装置であって、
前記無機ＥＬ発光体装置が印刷機における発光インジケータ装置に組み込まれたものである
ことを特徴とする無機ＥＬ発光体装置によって解決される。
【００５０】
又、無機ＥＬ発光体を具備した無機ＥＬ発光体装置であって、
前記無機ＥＬ発光体装置が音響機器における発光インジケータ装置に組み込まれたものである
ことを特徴とする無機ＥＬ発光体装置によって解決される。
【００５１】
又、無機ＥＬ発光体を具備した無機ＥＬ発光体装置であって、
前記無機ＥＬ発光体装置が映像機器における発光インジケータ装置に組み込まれたものである
ことを特徴とする無機ＥＬ発光体装置によって解決される。
【００５２】
又、無機ＥＬ発光体を具備した無機ＥＬ発光体装置であって、
前記無機ＥＬ発光体装置が通信機器における発光インジケータ装置に組み込まれたものである
ことを特徴とする無機ＥＬ発光体装置によって解決される。
【００５３】
又、無機ＥＬ発光体を具備した無機ＥＬ発光体装置であって、
前記無機ＥＬ発光体装置が健康機器における発光インジケータ装置に組み込まれたものである
ことを特徴とする無機ＥＬ発光体装置によって解決される。
【００５４】
又、無機ＥＬ発光体を具備した無機ＥＬ発光体装置であって、
前記無機ＥＬ発光体装置が治療機器における発光インジケータ装置に組み込まれたものである
ことを特徴とする無機ＥＬ発光体装置によって解決される。
【００５５】
又、無機ＥＬ発光体を具備した無機ＥＬ発光体装置であって、
前記無機ＥＬ発光体装置が検査装置における発光インジケータ装置に組み込まれたものである
ことを特徴とする無機ＥＬ発光体装置によって解決される。
【００５６】
又、無機ＥＬ発光体を具備した無機ＥＬ発光体装置であって、
前記無機ＥＬ発光体装置が携帯機器における発光インジケータ装置に組み込まれたものである
ことを特徴とする無機ＥＬ発光体装置によって解決される。
【００５７】
又、無機ＥＬ発光体を具備した無機ＥＬ発光体装置であって、
前記無機ＥＬ発光体装置が自動販売機における発光インジケータ装置に組み込まれたものである
ことを特徴とする無機ＥＬ発光体装置によって解決される。
【００５８】
又、無機ＥＬ発光体を具備した無機ＥＬ発光体装置であって、
前記無機ＥＬ発光体装置が自転車における発光装置に組み込まれたものである
ことを特徴とする無機ＥＬ発光体装置によって解決される。
【００５９】
又、無機ＥＬ発光体を具備した無機ＥＬ発光体装置であって、
前記無機ＥＬ発光体装置が自転車におけるヘッドランプ装置に組み込まれたものである
ことを特徴とする無機ＥＬ発光体装置によって解決される。
【００６０】
又、無機ＥＬ発光体を具備した無機ＥＬ発光体装置であって、
前記無機ＥＬ発光体装置が自転車における視認安全装置に組み込まれたものである
ことを特徴とする無機ＥＬ発光体装置によって解決される。
【００６１】
又、無機ＥＬ発光体を具備した無機ＥＬ発光体装置であって、
前記無機ＥＬ発光体装置が屋内照明装置に組み込まれたものである
ことを特徴とする無機ＥＬ発光体装置によって解決される。
【００６２】
又、無機ＥＬ発光体を具備した無機ＥＬ発光体装置であって、
前記無機ＥＬ発光体装置が手術用照明装置に組み込まれたものである
ことを特徴とする無機ＥＬ発光体装置によって解決される。
【００６３】
又、無機ＥＬ発光体を具備した無機ＥＬ発光体装置であって、
前記無機ＥＬ発光体装置が病院内照明装置に組み込まれたものである
ことを特徴とする無機ＥＬ発光体装置によって解決される。
【００６４】
又、無機ＥＬ発光体を具備した無機ＥＬ発光体装置であって、
前記無機ＥＬ発光体装置が電子機器が設置された屋内の照明装置に組み込まれたものである
ことを特徴とする無機ＥＬ発光体装置によって解決される。
【００６５】
又、無機ＥＬ発光体を具備した無機ＥＬ発光体装置であって、
前記無機ＥＬ発光体装置が美術館内の照明装置に組み込まれたものである
ことを特徴とする無機ＥＬ発光体装置によって解決される。
【００６６】
又、無機ＥＬ発光体を具備した無機ＥＬ発光体装置であって、
前記無機ＥＬ発光体装置が博物館内の照明装置に組み込まれたものである
ことを特徴とする無機ＥＬ発光体装置によって解決される。
【００６７】
又、無機ＥＬ発光体を具備した無機ＥＬ発光体装置であって、
前記無機ＥＬ発光体装置が樹脂硬化プロセス用照明装置に組み込まれたものである
ことを特徴とする無機ＥＬ発光体装置によって解決される。
【００６８】
又、無機ＥＬ発光体を具備した無機ＥＬ発光体装置であって、
前記無機ＥＬ発光体装置がＵＶ硬化プロセス用照明装置に組み込まれたものである
ことを特徴とする無機ＥＬ発光体装置によって解決される。
【００６９】
又、無機ＥＬ発光体を具備した無機ＥＬ発光体装置であって、
前記無機ＥＬ発光体装置が検査装置における光照射装置に組み込まれたものである
ことを特徴とする無機ＥＬ発光体装置によって解決される。
【００７０】
又、無機ＥＬ発光体を具備した無機ＥＬ発光体装置であって、
前記無機ＥＬ発光体装置が顕微鏡における光照射装置に組み込まれたものである
ことを特徴とする無機ＥＬ発光体装置によって解決される。
【００７１】
又、無機ＥＬ発光体を具備した無機ＥＬ発光体装置であって、
前記無機ＥＬ発光体装置が液体検査装置における光照射装置に組み込まれたものである
ことを特徴とする無機ＥＬ発光体装置によって解決される。
【００７２】
又、無機ＥＬ発光体を具備した無機ＥＬ発光体装置であって、
前記無機ＥＬ発光体装置が尿検査装置における光照射装置に組み込まれたものである
ことを特徴とする無機ＥＬ発光体装置によって解決される。
【００７３】
又、無機ＥＬ発光体を具備した無機ＥＬ発光体装置であって、
前記無機ＥＬ発光体装置が血液検査装置における光照射装置に組み込まれたものである
ことを特徴とする無機ＥＬ発光体装置によって解決される。
【００７４】
又、無機ＥＬ発光体を具備した無機ＥＬ発光体装置であって、
前記無機ＥＬ発光体装置が水質検査装置における光照射装置に組み込まれたものである
ことを特徴とする無機ＥＬ発光体装置によって解決される。
【００７５】
又、無機ＥＬ発光体を具備した無機ＥＬ発光体装置であって、
前記無機ＥＬ発光体装置が固体検査装置における光照射装置に組み込まれたものである
ことを特徴とする無機ＥＬ発光体装置によって解決される。
【００７６】
又、無機ＥＬ発光体を具備した無機ＥＬ発光体装置であって、
前記無機ＥＬ発光体装置が外形検査装置における光照射装置に組み込まれたものである
ことを特徴とする無機ＥＬ発光体装置によって解決される。
【００７７】
又、無機ＥＬ発光体を具備した無機ＥＬ発光体装置であって、
前記無機ＥＬ発光体装置が表面傷検査装置における光照射装置に組み込まれたものである
ことを特徴とする無機ＥＬ発光体装置によって解決される。
【００７８】
又、無機ＥＬ発光体を具備した無機ＥＬ発光体装置であって、
前記無機ＥＬ発光体装置が輝度測定装置における光照射装置に組み込まれたものである
ことを特徴とする無機ＥＬ発光体装置によって解決される。
【００７９】
又、無機ＥＬ発光体を具備した無機ＥＬ発光体装置であって、
前記無機ＥＬ発光体装置がヘイズ測定装置における光照射装置に組み込まれたものである
ことを特徴とする無機ＥＬ発光体装置によって解決される。
【００８０】
又、無機ＥＬ発光体を具備した無機ＥＬ発光体装置であって、
前記無機ＥＬ発光体装置がグレア測定装置における光照射装置に組み込まれたものである
ことを特徴とする無機ＥＬ発光体装置によって解決される。
【００８１】
又、無機ＥＬ発光体を具備した無機ＥＬ発光体装置であって、
前記無機ＥＬ発光体装置が眼球検査装置における光照射装置に組み込まれたものである
ことを特徴とする無機ＥＬ発光体装置によって解決される。
【００８２】
又、無機ＥＬ発光体を具備した無機ＥＬ発光体装置であって、
前記無機ＥＬ発光体装置が視線検出装置における光照射装置に組み込まれたものである
ことを特徴とする無機ＥＬ発光体装置によって解決される。
【００８３】
又、無機ＥＬ発光体を具備した無機ＥＬ発光体装置であって、
前記無機ＥＬ発光体装置が煙感知装置における光照射装置に組み込まれたものである
ことを特徴とする無機ＥＬ発光体装置によって解決される。
【００８４】
又、無機ＥＬ発光体を具備した無機ＥＬ発光体装置であって、
前記無機ＥＬ発光体装置が消化器検査装置における光照射装置に組み込まれたものである
ことを特徴とする無機ＥＬ発光体装置によって解決される。
【００８５】
又、無機ＥＬ発光体を具備した無機ＥＬ発光体装置であって、
前記無機ＥＬ発光体装置が口腔検査装置における光照射装置に組み込まれたものである
ことを特徴とする無機ＥＬ発光体装置によって解決される。
【００８６】
又、無機ＥＬ発光体を具備した無機ＥＬ発光体装置であって、
前記無機ＥＬ発光体装置が手術用装置における光照射装置に組み込まれたものである
ことを特徴とする無機ＥＬ発光体装置によって解決される。
【００８７】
又、無機ＥＬ発光体を具備した無機ＥＬ発光体装置であって、
前記無機ＥＬ発光体装置が内視鏡装置における光照射装置に組み込まれたものである
ことを特徴とする無機ＥＬ発光体装置によって解決される。
【００８８】
又、無機ＥＬ発光体を具備した無機ＥＬ発光体装置であって、
前記無機ＥＬ発光体装置が歯科装置における光照射装置に組み込まれたものである
ことを特徴とする無機ＥＬ発光体装置によって解決される。
【００８９】
又、無機ＥＬ発光体を具備した無機ＥＬ発光体装置であって、
前記無機ＥＬ発光体装置が被写体照明用の照明装置に組み込まれたものである
ことを特徴とする無機ＥＬ発光体装置によって解決される。
【００９０】
又、無機ＥＬ発光体を具備した無機ＥＬ発光体装置であって、
前記無機ＥＬ発光体装置がヘルメットにおける照明装置に組み込まれたものである
ことを特徴とする無機ＥＬ発光体装置によって解決される。
【００９１】
又、無機ＥＬ発光体を具備した無機ＥＬ発光体装置であって、
前記無機ＥＬ発光体装置が携帯装置における照明装置に組み込まれたものである
ことを特徴とする無機ＥＬ発光体装置によって解決される。
【００９２】
又、無機ＥＬ発光体を具備した無機ＥＬ発光体装置であって、
前記無機ＥＬ発光体装置が移動装置におけるヘッドランプ装置に組み込まれたものである
ことを特徴とする無機ＥＬ発光体装置によって解決される。
【００９３】
又、無機ＥＬ発光体を具備した無機ＥＬ発光体装置であって、
前記無機ＥＬ発光体装置が移動装置におけるフォグランプ装置に組み込まれたものである
ことを特徴とする無機ＥＬ発光体装置によって解決される。
【００９４】
又、無機ＥＬ発光体を具備した無機ＥＬ発光体装置であって、
前記無機ＥＬ発光体装置が移動装置におけるナンバープレート装置に組み込まれたものである
ことを特徴とする無機ＥＬ発光体装置によって解決される。
【００９５】
又、無機ＥＬ発光体を具備した無機ＥＬ発光体装置であって、
前記無機ＥＬ発光体装置が移動装置における方向指示装置に組み込まれたものである
ことを特徴とする無機ＥＬ発光体装置によって解決される。
【００９６】
又、無機ＥＬ発光体を具備した無機ＥＬ発光体装置であって、
前記無機ＥＬ発光体装置が自転車における方向指示装置に組み込まれたものである
ことを特徴とする無機ＥＬ発光体装置によって解決される。
【００９７】
又、無機ＥＬ発光体を具備した無機ＥＬ発光体装置であって、
前記無機ＥＬ発光体装置が双眼鏡における光照射装置に組み込まれたものである
ことを特徴とする無機ＥＬ発光体装置によって解決される。
【００９８】
又、無機ＥＬ発光体を具備した無機ＥＬ発光体装置であって、
前記無機ＥＬ発光体装置が冷蔵庫における庫内照明装置に組み込まれたものである
ことを特徴とする無機ＥＬ発光体装置によって解決される。
【００９９】
又、無機ＥＬ発光体を具備した無機ＥＬ発光体装置であって、
前記無機ＥＬ発光体装置が玩具における表示装置に組み込まれたものである
ことを特徴とする無機ＥＬ発光体装置によって解決される。
【０１００】
又、無機ＥＬ発光体を具備した無機ＥＬ発光体装置であって、
前記無機ＥＬ発光体装置が家庭用電気製品における表示装置に組み込まれたものである
ことを特徴とする無機ＥＬ発光体装置によって解決される。
【０１０１】
又、無機ＥＬ発光体を具備した無機ＥＬ発光体装置であって、
前記無機ＥＬ発光体装置がオフィス用電気製品における表示装置に組み込まれたものである
ことを特徴とする無機ＥＬ発光体装置によって解決される。
【０１０２】
又、無機ＥＬ発光体を具備した無機ＥＬ発光体装置であって、
前記無機ＥＬ発光体装置が家具における表示装置に組み込まれたものである
ことを特徴とする無機ＥＬ発光体装置によって解決される。
【０１０３】
又、無機ＥＬ発光体を具備した無機ＥＬ発光体装置であって、
前記無機ＥＬ発光体装置が計算機における表示装置に組み込まれたものである
ことを特徴とする無機ＥＬ発光体装置によって解決される。
【０１０４】
又、無機ＥＬ発光体を具備した無機ＥＬ発光体装置であって、
前記無機ＥＬ発光体装置が計算機周辺機器における表示装置に組み込まれたものである
ことを特徴とする無機ＥＬ発光体装置によって解決される。
【０１０５】
又、無機ＥＬ発光体を具備した無機ＥＬ発光体装置であって、
前記無機ＥＬ発光体装置がワードプロセッサにおける表示装置に組み込まれたものである
ことを特徴とする無機ＥＬ発光体装置によって解決される。
【０１０６】
又、無機ＥＬ発光体を具備した無機ＥＬ発光体装置であって、
前記無機ＥＬ発光体装置が印刷装置における表示装置に組み込まれたものである
ことを特徴とする無機ＥＬ発光体装置によって解決される。
【０１０７】
又、無機ＥＬ発光体を具備した無機ＥＬ発光体装置であって、
前記無機ＥＬ発光体装置が音響機器における表示装置に組み込まれたものである
ことを特徴とする無機ＥＬ発光体装置によって解決される。
【０１０８】
又、無機ＥＬ発光体を具備した無機ＥＬ発光体装置であって、
前記無機ＥＬ発光体装置が映像機器における表示装置に組み込まれたものである
ことを特徴とする無機ＥＬ発光体装置によって解決される。
【０１０９】
又、無機ＥＬ発光体を具備した無機ＥＬ発光体装置であって、
前記無機ＥＬ発光体装置が通信機器における表示装置に組み込まれたものである
ことを特徴とする無機ＥＬ発光体装置によって解決される。
【０１１０】
又、無機ＥＬ発光体を具備した無機ＥＬ発光体装置であって、
前記無機ＥＬ発光体装置が健康機器における表示装置に組み込まれたものである
ことを特徴とする無機ＥＬ発光体装置によって解決される。
【０１１１】
又、無機ＥＬ発光体を具備した無機ＥＬ発光体装置であって、
前記無機ＥＬ発光体装置が治療機器における表示装置に組み込まれたものである
ことを特徴とする無機ＥＬ発光体装置によって解決される。
【０１１２】
又、無機ＥＬ発光体を具備した無機ＥＬ発光体装置であって、
前記無機ＥＬ発光体装置が検査装置における表示装置に組み込まれたものである
ことを特徴とする無機ＥＬ発光体装置によって解決される。
【０１１３】
又、無機ＥＬ発光体を具備した無機ＥＬ発光体装置であって、
前記無機ＥＬ発光体装置が携帯機器における表示装置に組み込まれたものである
ことを特徴とする無機ＥＬ発光体装置によって解決される。
【０１１４】
又、無機ＥＬ発光体を具備した無機ＥＬ発光体装置であって、
前記無機ＥＬ発光体装置が衣服における表示装置に組み込まれたものである
ことを特徴とする無機ＥＬ発光体装置によって解決される。
【０１１５】
又、無機ＥＬ発光体を具備した無機ＥＬ発光体装置であって、
前記無機ＥＬ発光体装置が自動販売機における表示装置に組み込まれたものである
ことを特徴とする無機ＥＬ発光体装置によって解決される。
【０１１６】
又、無機ＥＬ発光体を具備した無機ＥＬ発光体装置であって、
前記無機ＥＬ発光体装置が視線検出装置を有するヘッドアップディスプレイに組み込まれたものである
ことを特徴とする無機ＥＬ発光体装置によって解決される。
【０１１７】
又、無機ＥＬ発光体を具備した無機ＥＬ発光体装置であって、
前記無機ＥＬ発光体装置がレーザー発光装置に組み込まれてなり、
前記無機ＥＬ発光体装置からの光がレーザー光に変換されるよう構成されてなる
ことを特徴とする無機ＥＬ発光体装置によって解決される。
【０１１８】
又、無機ＥＬ発光体を具備した無機ＥＬ発光体装置であって、
前記無機ＥＬ発光体装置がレーザー加工装置におけるレーザー発光装置に組み込まれてなり、
前記無機ＥＬ発光体装置からの光がレーザー光に変換されるよう構成されてなる
ことを特徴とする無機ＥＬ発光体装置によって解決される。
【０１１９】
又、無機ＥＬ発光体を具備した無機ＥＬ発光体装置であって、
前記無機ＥＬ発光体装置が除電装置に組み込まれてなり、
前記無機ＥＬ発光体装置からの光によって静電気が除電されるよう構成されてなる
ことを特徴とする無機ＥＬ発光体装置によって解決される。
【０１２０】
又、無機ＥＬ発光体を具備した無機ＥＬ発光体装置であって、
前記無機ＥＬ発光体装置が光発生装置に組み込まれてなり、
前記無機ＥＬ発光体装置からの光の波長が変換されるよう構成されてなる
ことを特徴とする無機ＥＬ発光体装置によって解決される。
【０１２１】
又、上記の無機ＥＬ発光体装置であって、無機ＥＬ発光体が層状発光体であることを特徴とする上記の無機ＥＬ発光体装置によって解決される。
【０１２２】
又、上記の無機ＥＬ発光体装置であって、無機ＥＬ発光体が保持面に塗設されてなることを特徴とする無機ＥＬ発光体装置によって解決される。
【０１２３】
又、上記の無機ＥＬ発光体装置であって、無機ＥＬ発光体は、薄膜状のものであって、保持面上に成膜されてなることを特徴とする無機ＥＬ発光体装置によって解決される。
【０１２４】
又、無機ＥＬ発光体を具備した無機ＥＬ発光体装置であって、
前記無機ＥＬ発光体装置がプロジェクタに組み込まれてなり、
前記無機ＥＬ発光体装置からの光が前記プロジェクタの透過性画像表示部に通されて投影されるよう構成されてなり、
前記無機ＥＬ発光体は、層状発光体で、保持面に塗設されてなる
ことを特徴とする無機ＥＬ発光体装置によって解決される。
【０１２５】
又、無機ＥＬ発光体を具備した無機ＥＬ発光体装置であって、
前記無機ＥＬ発光体装置が発光スイッチに組み込まれてなり、
前記無機ＥＬ発光体装置からの光が前記発光スイッチの光拡散透過部に通されて発光するよう構成されてなり、
前記無機ＥＬ発光体は、層状発光体で、保持面に塗設されてなる
ことを特徴とする無機ＥＬ発光体装置によって解決される。
【０１２６】
又、無機ＥＬ発光体を具備した無機ＥＬ発光体装置であって、
前記無機ＥＬ発光体装置が標識灯装置に組み込まれてなり、
前記無機ＥＬ発光体装置からの光が前記標識灯装置の光透過性表示部に照射されて光透過性表示部上の表示が強調されるよう構成されてなり、
前記無機ＥＬ発光体は、層状発光体で、保持面に塗設されてなる
ことを特徴とする無機ＥＬ発光体装置によって解決される。
【０１２７】
又、無機ＥＬ発光体を具備した無機ＥＬ発光体装置であって、
前記無機ＥＬ発光体装置が面状照明装置に組み込まれてなり、
前記無機ＥＬ発光体は、層状発光体で、保持面に塗設されてなる
ことを特徴とする無機ＥＬ発光体装置によって解決される。
【０１２８】
又、無機ＥＬ発光体を具備した無機ＥＬ発光体装置であって、
前記無機ＥＬ発光体装置が移動装置における内部照明装置に組み込まれてなり、
前記無機ＥＬ発光体は、層状発光体で、保持面に塗設されてなる
ことを特徴とする無機ＥＬ発光体装置によって解決される。
【０１２９】
又、無機ＥＬ発光体を具備した無機ＥＬ発光体装置であって、
前記無機ＥＬ発光体装置が画像形成装置に組み込まれてなり、
前記無機ＥＬ発光体は、層状発光体で、保持面に塗設されてなる
ことを特徴とする無機ＥＬ発光体装置によって解決される。
【０１３０】
又、無機ＥＬ発光体を具備した無機ＥＬ発光体装置であって、
前記無機ＥＬ発光体装置がファックス送・受信機に組み込まれてなり、
前記無機ＥＬ発光体は、層状発光体で、保持面に塗設されてなる
ことを特徴とする無機ＥＬ発光体装置によって解決される。
【０１３１】
又、無機ＥＬ発光体を具備した無機ＥＬ発光体装置であって、
前記無機ＥＬ発光体装置がコピー機に組み込まれてなり、
前記無機ＥＬ発光体は、層状発光体で、保持面に塗設されてなる
ことを特徴とする無機ＥＬ発光体装置によって解決される。
【０１３２】
又、無機ＥＬ発光体を具備した無機ＥＬ発光体装置であって、
前記無機ＥＬ発光体装置が印刷機に組み込まれてなり、
前記無機ＥＬ発光体は、層状発光体で、保持面に塗設されてなる
ことを特徴とする無機ＥＬ発光体装置によって解決される。
【０１３３】
又、上記の無機ＥＬ発光体装置であって、無機ＥＬ発光体装置が組み込まれた除電装置を具備することを特徴とする無機ＥＬ発光体装置によって解決される。
【０１３４】
又、無機ＥＬ発光体を具備した無機ＥＬ発光体装置であって、
前記無機ＥＬ発光体装置が情報読取装置に組み込まれてなり、
前記無機ＥＬ発光体装置からの光が対象部に照射されて表面の情報が読み取られるよう構成されてなり、
前記無機ＥＬ発光体は、層状発光体で、保持面に塗設されてなる
ことを特徴とする無機ＥＬ発光体装置によって解決される。
【０１３５】
又、無機ＥＬ発光体装置が組み込まれ、前記無機ＥＬ発光体装置からの光が対象部に照射されて表面の情報が読み取られるよう構成されてなる情報読取装置を具備することを特徴とする請求項１１９〜請求項１２２いずれかの無機ＥＬ発光体装置によって解決される。
【０１３６】
又、上記の無機ＥＬ発光体装置であって、情報読取装置が網膜読取装置であることを特徴とする無機ＥＬ発光体装置によって解決される。
【０１３７】
又、上記の無機ＥＬ発光体装置であって、情報読取装置が静脈パターン読取装置であることを特徴とする無機ＥＬ発光体装置によって解決される。
【０１３８】
又、上記の無機ＥＬ発光体装置であって、情報読取装置が指紋パターン読取装置であることを特徴とする無機ＥＬ発光体装置によって解決される。
【０１３９】
又、無機ＥＬ発光体を具備した無機ＥＬ発光体装置であって、
前記無機ＥＬ発光体装置が露光装置に組み込まれてなり、
前記無機ＥＬ発光体装置からの光が対象部に照射されるよう構成されてなり、
前記無機ＥＬ発光体は、層状発光体で、保持面に塗設されてなる
ことを特徴とする無機ＥＬ発光体装置によって解決される。
【０１４０】
又、無機ＥＬ発光体を具備した無機ＥＬ発光体装置であって、
前記無機ＥＬ発光体装置が表示装置に組み込まれてなり、
前記無機ＥＬ発光体装置からの光が表示面に照射されて情報が表示されるよう構成されてなり、
前記無機ＥＬ発光体は、層状発光体で、保持面に成膜されてなる
ことを特徴とする無機ＥＬ発光体装置によって解決される。
【０１４１】
又、上記の無機ＥＬ発光体装置であって、表示装置の表示面が可撓性を有するよう構成されてなることを特徴とする無機ＥＬ発光体装置によって解決される。
【０１４２】
又、上記の無機ＥＬ発光体装置であって、表示装置の無機ＥＬ発光体の点光源または線光源からなる面内の点滅もしくは発光色の違いによって情報が表示されるよう構成されてなることを特徴とする無機ＥＬ発光体装置によって解決される。
【０１４３】
又、上記の無機ＥＬ発光体装置であって、表示装置が移動装置の内部における表示装置であることを特徴とする無機ＥＬ発光体装置によって解決される。
【０１４４】
又、上記の無機ＥＬ発光体装置であって、表示装置がカーナビゲーションシステムであることを特徴とする無機ＥＬ発光体装置によって解決される。
【０１４５】
又、上記の無機ＥＬ発光体装置であって、表示装置がインスツルメンタルパネルであることを特徴とする無機ＥＬ発光体装置によって解決される。
【０１４６】
又、無機ＥＬ発光体を具備した無機ＥＬ発光体装置であって、
前記無機ＥＬ発光体装置が標識灯装置に組み込まれてなり、
前記無機ＥＬ発光体装置からの光が光透過性表示部に照射され、該光透過性表示部上の表示が強調されるよう構成されてなり、
前記無機ＥＬ発光体は、層状発光体で、保持面に成膜されてなる
ことを特徴とする無機ＥＬ発光体装置によって解決される。
【０１４７】
又、上記の無機ＥＬ発光体装置であって、表示部が対向する二面を具備する両面表示型のものであることを特徴とする無機ＥＬ発光体装置によって解決される。
【０１４８】
又、上記の無機ＥＬ発光体装置であって、表示部が看板における表示部であることを特徴とする無機ＥＬ発光体装置によって解決される。
【０１４９】
又、上記の無機ＥＬ発光体装置であって、表示装置が時計であることを特徴とする無機ＥＬ発光体装置によって解決される。
【０１５０】
又、上記の無機ＥＬ発光体装置であって、表示装置が計器であることを特徴とする無機ＥＬ発光体装置によって解決される。
【０１５１】
又、無機ＥＬ発光体を具備した無機ＥＬ発光体装置であって、
前記無機ＥＬ発光体装置が発光スイッチ装置に組み込まれてなり、
前記無機ＥＬ発光体装置からの光が発光スイッチ装置における光拡散透過部を通して発光するよう構成されてなり、
前記無機ＥＬ発光体は、層状発光体で、保持面に成膜されてなる
ことを特徴とする無機ＥＬ発光体装置によって解決される。
【０１５２】
又、無機ＥＬ発光体を具備した無機ＥＬ発光体装置であって、
前記無機ＥＬ発光体装置が移動装置における外部発光装置に組み込まれてなり、
前記無機ＥＬ発光体は、層状発光体で、保持面に成膜されてなる
ことを特徴とする無機ＥＬ発光体装置によって解決される。
【０１５３】
又、上記の無機ＥＬ発光体装置であって、外部発光装置がトラックの導風板装置であることを特徴とする無機ＥＬ発光体装置によって解決される。
【０１５４】
又、無機ＥＬ発光体を具備した無機ＥＬ発光体装置であって、
前記無機ＥＬ発光体装置が床用マット装置に組み込まれてなり、
前記無機ＥＬ発光体は、層状発光体で、保持面に成膜されてなる
ことを特徴とする無機ＥＬ発光体装置によって解決される。
【０１５５】
又、無機ＥＬ発光体を具備した無機ＥＬ発光体装置であって、
前記無機ＥＬ発光体装置が移動装置における内部照明装置に組み込まれてなり、
前記無機ＥＬ発光体は、層状発光体で、保持面に成膜されてなる
ことを特徴とする無機ＥＬ発光体装置によって解決される。
【０１５６】
又、無機ＥＬ発光体を具備した無機ＥＬ発光体装置であって、
前記無機ＥＬ発光体装置が遊戯機に組み込まれてなり、
前記無機ＥＬ発光体装置からの光が遊技機における遊戯部で発光するよう構成されてなり、
前記無機ＥＬ発光体は、層状発光体で、保持面に成膜されてなる
ことを特徴とする無機ＥＬ発光体装置によって解決される。
【０１５７】
又、上記の無機ＥＬ発光体装置であって、無機ＥＬ発光体装置からの光が遊技機における光透過性表示部に導かれ、情報が遊戯面に表示されるよう構成されてなることを特徴とする無機ＥＬ発光体装置によって解決される。
【０１５８】
又、無機ＥＬ発光体を具備した無機ＥＬ発光体装置であって、
前記無機ＥＬ発光体装置が屋外照明装置に組み込まれたものである
ことを特徴とする無機ＥＬ発光体装置によって解決される。
【０１５９】
又、上記の無機ＥＬ発光体装置であって、標識灯装置が点滅型のものであることを特徴とする無機ＥＬ発光体装置によって解決される。
【発明の効果】
【０１６０】
無機ＥＬの使用が最適な装置が得られた。
【発明を実施するための最良の形態】
【０１６１】
第１の本発明（無機ＥＬ発光体装置）は、無機ＥＬ発光体（無機ＥＬ発光源）を具備した無機ＥＬ発光体装置である。この無機ＥＬ発光体装置は、無機ＥＬ発光体を備えた発光源における少なくとも一つの発光面の形状が、三角形、正方形、少なくとも一つの角が直角で無い四角形、五角形〜二十角形、又は前記の形状の少なくとも一部が曲線状に変形された形状、若しくは全体が曲線で構成された形状である。
そして、無機ＥＬ発光源を備えた面光源装置による照明装置、発光装置、照明装置は知られていない。特に、照明や装飾などに有利な面光源装置は知られていない。更には、装飾性やデザインの自由度を高めることに有利な多角形や一部または全部が曲線を有するなどの形状のものは、未だ、提案されていない。
尚、この第１の本発明は、形状自由度特性、超薄型特性、軽量特性などにおいて特に優れた特長を奏する。
【０１６２】
第２の本発明（無機ＥＬ発光体装置）は、無機ＥＬ発光体（無機ＥＬ発光源）を具備した無機ＥＬ発光体装置である。そして、この無機ＥＬ発光体装置が誘蛾灯装置に組み込まれたものである。
尚、この第２の本発明は、電磁波フリー特性、耐加水分解性などにおいて特に優れた特長を奏する。
【０１６３】
第３の本発明（無機ＥＬ発光体装置）は、無機ＥＬ発光体（無機ＥＬ発光源）を具備した無機ＥＬ発光体装置である。そして、この無機ＥＬ発光体装置が集魚灯装置に組み込まれたものである。
尚、この第３の本発明は、電磁波フリー特性、耐振動性、耐加水分解性などにおいて特に優れた特長を奏する。
【０１６４】
第４の本発明（無機ＥＬ発光体装置）は、無機ＥＬ発光体（無機ＥＬ発光源）を具備した無機ＥＬ発光体装置である。そして、この無機ＥＬ発光体装置がロータリーエンコーダ装置に組み込まれたものである。
尚、この第４の本発明は、高速応答性（動画適性）、耐振動性、微細化可能性、超薄型特性、軽量特性などにおいて特に優れた特長を奏する。
【０１６５】
第５の本発明（無機ＥＬ発光体装置）は、無機ＥＬ発光体（無機ＥＬ発光源）を具備した無機ＥＬ発光体装置である。そして、この無機ＥＬ発光体装置がバーコード読取装置に組み込まれたものである。
尚、この第５の本発明は、高速応答性（動画適性）、耐振動性、微細化可能性、超薄型特性、軽量特性などにおいて特に優れた特長を奏する。
【０１６６】
第６の本発明（無機ＥＬ発光体装置）は、無機ＥＬ発光体（無機ＥＬ発光源）を具備した無機ＥＬ発光体装置である。そして、この無機ＥＬ発光体装置が防犯装置に組み込まれたものである。このように構成させた本発明は、意匠性が高いものとなる。そして、使用状態等を示したり、警告を発する等の目的で発光部を有するステッカー、アラーム、携帯ブザー、センサーライト等の防犯灯、ドアセンサー、ピッキングガード、ガラスガード等に用いられる。
尚、この第６の本発明は、寿命特性、微細化可能性、形状自由度特性、超薄型特性などにおいて特に優れた特長を奏する。
【０１６７】
第７の本発明（無機ＥＬ発光体装置）は、無機ＥＬ発光体（無機ＥＬ発光源）を具備した無機ＥＬ発光体装置である。そして、この無機ＥＬ発光体装置が移動装置における内部発光装置に組み込まれたものである。このように構成させた本発明は、夜間に動作状態等が効果的に奏される。例えば、旅客、貨物、工事、調査、試験、武装などを目的とする、人が乗り込むことを目的とする車輪やキャタピラ等を有する自動車、軌道車（電車、汽車、モノレール、ロープウェイ、リフト等）、又、船舶、潜水艦、潜水艇、飛行機、ヘリコプタ、飛行船、気球、ロケット等の移動装置の、内部に在る人が入る為の空間における動作状態等を示す目的で、暗所において特に有効である。
尚、この第７の本発明は、明所コントラスト性、多色化可能性、電磁波フリー特性、ＵＶフリー特性、解像度特性、寿命特性、耐振動性、耐低温性、耐高温性、微細化可能性、形状自由度特性、超薄型特性、軽量特性などにおいて特に優れた特長を奏する。中でも、寿命特性や耐振動性は優れている。
【０１６８】
第８の本発明（無機ＥＬ発光体装置）は、無機ＥＬ発光体（無機ＥＬ発光源）を具備した無機ＥＬ発光体装置である。そして、この無機ＥＬ発光体装置が移動装置（例えば、自動車など）におけるシフトレバー装置に組み込まれたものである。
尚、この第８の本発明は、多色化可能性、解像度特性、寿命特性、耐振動性、耐低温性、耐高温性、微細化可能性、形状自由度特性、超薄型特性、軽量特性などにおいて特に優れた特長を奏する。中でも、寿命特性や耐振動性は優れている。
【０１６９】
第９の本発明（無機ＥＬ発光体装置）は、無機ＥＬ発光体（無機ＥＬ発光源）を具備した無機ＥＬ発光体装置である。そして、この無機ＥＬ発光体装置が移動装置（例えば、自動車など）におけるドアやハッチ等の開閉装置（内外を仕切る部材の開閉装置）に組み込まれたものである。このように構成させた本発明は、夜間のドアやハッチ等の開閉時の安全が効果的に奏される。特に、暗所においての開閉時の安全性に優れる。
尚、この第９の本発明は、多色化可能性、解像度特性、寿命特性、耐振動性、耐低温性、耐高温性、微細化可能性、形状自由度特性、超薄型特性、軽量特性などにおいて特に優れた特長を奏する。中でも、寿命特性や耐振動性は優れている。
【０１７０】
第１０の本発明（無機ＥＬ発光体装置）は、無機ＥＬ発光体（無機ＥＬ発光源）を具備した無機ＥＬ発光体装置である。この無機ＥＬ発光体装置が移動装置における標識灯装置に組み込まれたものである。例えば、旅客、貨物、工事、調査、試験、武装などを目的とする、人が乗り込むことを目的とする車輪やキャタピラ等を有する自動車、軌道車（電車、汽車、モノレール、ロープウェイ、リフト等）、又、船舶、潜水艦、潜水艇、飛行機、ヘリコプタ、飛行船、気球、ロケット等の移動装置の、安全を確保するための標識灯に用いられる。特に、潜水艦、潜水艇、飛行機、ヘリコプタ、飛行船、気球、ロケット等においては、耐低温性、耐高温性、耐衝撃性などで特に有利である。
尚、この第１０の本発明は、多色化可能性、解像度特性、寿命特性、耐振動性、耐低温性、耐高温性、耐加水分解性、微細化可能性、形状自由度特性、超薄型特性、軽量特性などにおいて特に優れた特長を奏する。中でも、寿命特性、耐振動性、耐低温性、耐高温性や耐加水分解性は優れている。
【０１７１】
第１１の本発明（無機ＥＬ発光体装置）は、無機ＥＬ発光体（無機ＥＬ発光源）を具備した無機ＥＬ発光体装置である。そして、この無機ＥＬ発光体装置が装飾体における発光装置に組み込まれたものである。このように構成させた本発明は、包装フィルム、発光オブジェなどに用いられる。そして、単独で装飾品となったり、或いは他の物品の意匠性を高めたり、注目度を高めたりする。すなわち、装飾効果が高い特長を奏する。
尚、この第１１の本発明は、明所コントラスト性、多色化可能性、高速応答性（動画適性）、耐振動性、耐低温性、耐高温性、微細化可能性、形状自由度特性、超薄型特性、軽量特性などにおいて特に優れている。中でも、多色化可能性は優れている。
【０１７２】
第１２の本発明（無機ＥＬ発光体装置）は、無機ＥＬ発光体（無機ＥＬ発光源）を具備した無機ＥＬ発光体装置である。そして、この無機ＥＬ発光体装置がイルミネーション装置における発光装置に組み込まれたものである。
尚、この第１２の本発明は、明所コントラスト性、多色化可能性、高速応答性（動画適性）、耐振動性、耐低温性、耐高温性、耐加水分解性、微細化可能性、形状自由度特性、超薄型特性、軽量特性などにおいて特に優れている。中でも、多色化可能性は優れている。
【０１７３】
第１３の本発明（無機ＥＬ発光体装置）は、無機ＥＬ発光体（無機ＥＬ発光源）を具備した無機ＥＬ発光体装置である。そして、この無機ＥＬ発光体装置がクリスマスツリー装置における発光装置に組み込まれたものである。このように構成させた本発明は、枝状のグラスファイバーによって光が導かれたり、ＥＬ線状光源を枝の少なくとも一部としたりする。本発明は、屋内・屋外で使用される。
尚、この第１３の本発明は、明所コントラスト性、多色化可能性、高速応答性（動画適性）、耐振動性、耐低温性、耐高温性、微細化可能性、形状自由度特性、超薄型特性、軽量特性などにおいて特に優れている。中でも、多色化可能性は優れている。
【０１７４】
第１４の本発明（無機ＥＬ発光体装置）は、無機ＥＬ発光体（無機ＥＬ発光源）を具備した無機ＥＬ発光体装置である。そして、この無機ＥＬ発光体装置が衣服における発光装置に組み込まれたものである。このように構成させた本発明は、衣服の内側もしくは外側の表面に発光装飾品を装着している。脱着可能であれば洗浄などが容易となり有利である。そして、意匠性を高め、ファッション、デザインの幅を広げることが出来る。又、視認性を高めることで、暗所の歩行者等の安全性確保や、ライフジャケット、ダイバースーツ等にも有用である。
尚、この第１４の本発明は、明所コントラスト性、多色化可能性、電磁波フリー特性、ＵＶフリー特性、耐振動性、微細化可能性、形状自由度特性、超薄型特性、軽量特性などにおいて特に優れている。中でも、多色化可能性は優れている。
【０１７５】
第１５の本発明（無機ＥＬ発光体装置）は、無機ＥＬ発光体（無機ＥＬ発光源）を具備した無機ＥＬ発光体装置である。そして、この無機ＥＬ発光体装置がヘルメットに組み込まれたものである。このように構成させた本発明は、視認性・装飾性が高いヘルメットが得られる。
尚、この第１５の本発明は、明所コントラスト性、多色化可能性、電磁波フリー特性、ＵＶフリー特性、耐振動性、微細化可能性、形状自由度特性、超薄型特性、軽量特性などにおいて特に優れている。中でも、多色化可能性は優れている。
【０１７６】
第１６の本発明（無機ＥＬ発光体装置）は、無機ＥＬ発光体（無機ＥＬ発光源）を具備した無機ＥＬ発光体装置である。そして、この無機ＥＬ発光体装置が玩具における発光装置に組み込まれたものである。このように構成させた本発明は、可動、非可動の球、棒、板、積み木、組み立てブロック、人形、乗用玩具、電子楽器、飛行玩具、浮遊玩具、模型（実在または架空の乗り物、生物、武器、建築物、ジオラマ、家庭用品などを同サイズ、又は相似形で模したもの）等の玩具において、低電圧で発光するものが得られ、安全性が高い特長を奏する。
尚、この第１６の本発明は、明所コントラスト性、多色化可能性、電磁波フリー特性、ＵＶフリー特性、寿命特性、耐振動性、耐加水分解性、微細化可能性、形状自由度特性、超薄型特性、軽量特性などにおいて特に優れている。中でも、多色化可能性は優れている。
【０１７７】
第１７の本発明（無機ＥＬ発光体装置）は、無機ＥＬ発光体（無機ＥＬ発光源）を具備した無機ＥＬ発光体装置である。そして、この無機ＥＬ発光体装置が家庭用電気製品における発光装置に組み込まれたものである。このように構成させた本発明は、意匠性を高める等の目的で発光部を有するものの場合に効果的なものである。例えば、意匠性が高い画像表示装置（テレビ、モニター）、録画装置、音響機器、家庭用ゲーム機、冷蔵庫、冷凍庫、保冷装置、保温装置、製氷機、電気ポット、洗濯機、掃除機、食器洗浄機、乾燥機（食器用、衣類用、布団、頭髪用など）、加湿器、空気清浄機、マイナスイオン発生器、冷暖房器具（エアコン、ストーブ、オイルヒーター、ファンヒーター、コタツ、電気行火、電気毛布、電気カーペット、扇風機、など）、調理器具（電子レンジ、コンロ、炊飯器、精米機、ホームベーカリー、餅つき機、トースター、オーブン、コーヒーメーカー、フードプロセッサー）、湯沸し機、生ごみ処理機、換気扇、アイロン、プレッサ、シェーバー（髭剃り、バリカン、無駄毛切り）、便座、置時計などが得られる。
尚、この第１７の本発明は、多色化可能性、電磁波フリー特性、ＵＶフリー特性、寿命特性、耐低温性、耐高温性、耐加水分解性、微細化可能性、形状自由度特性、超薄型特性、軽量特性などにおいて特に優れている。中でも、多色化可能性は優れている。
【０１７８】
第１８の本発明（無機ＥＬ発光体装置）は、無機ＥＬ発光体（無機ＥＬ発光源）を具備した無機ＥＬ発光体装置である。そして、この無機ＥＬ発光体装置がオフィス用電気製品における発光装置に組み込まれたものである。このように構成させた本発明は、意匠性を高める等の目的で発光部を有するものの場合に効果的である。例えば、意匠性が高いシュレッダー、ラミネーター、タイムレコーダー、レジスターなどが得られる。ここで、オフィス用とは家庭用以外のものを指す。
尚、この第１８の本発明は、多色化可能性、電磁波フリー特性、ＵＶフリー特性、寿命特性、微細化可能性、形状自由度特性、超薄型特性、軽量特性などにおいて特に優れている。中でも、多色化可能性は優れている。
【０１７９】
第１９の本発明（無機ＥＬ発光体装置）は、無機ＥＬ発光体（無機ＥＬ発光源）を具備した無機ＥＬ発光体装置である。そして、この無機ＥＬ発光体装置が家具における発光装置に組み込まれたものである。このように構成させた本発明は、意匠性を高める等の目的で発光部を有する椅子、机、箪笥、棚、キャビネット等の場合に効果的である。すなわち、意匠性が高い家具が得られる。
尚、この第１９の本発明は、多色化可能性、ＵＶフリー特性、寿命特性、微細化可能性、形状自由度特性、超薄型特性、軽量特性などにおいて特に優れている。中でも、多色化可能性は優れている。
【０１８０】
第２０の本発明（無機ＥＬ発光体装置）は、無機ＥＬ発光体（無機ＥＬ発光源）を具備した無機ＥＬ発光体装置である。そして、この無機ＥＬ発光体装置が計算機（コンピュータ）における発光装置に組み込まれたものである。このように構成させた本発明は、意匠性を高める等の目的で発光部を有する計算機、デスクトップコンピュータ、ノート型コンピュータ、携帯コンピュータ、ＰＤＡ等の場合に効果的である。すなわち、意匠性が高いコンピュータが得られる。
尚、この第２０の本発明は、多色化可能性、電磁波フリー特性、耐振動特性、微細化可能性、形状自由度特性、超薄型特性、軽量特性などにおいて特に優れている。中でも、多色化可能性は優れている。
【０１８１】
第２１の本発明（無機ＥＬ発光体装置）は、無機ＥＬ発光体（無機ＥＬ発光源）を具備した無機ＥＬ発光体装置である。そして、この無機ＥＬ発光体装置が計算機周辺機器における発光装置に組み込まれたものである。このように構成させた本発明は、意匠性を高める等の目的で発光部を有する計算機用のプリンタ、記憶用ドライブ、スキャナー、マウス、入力機器（キーボード、タブレットなど）、スピーカ、ハブコネクタ等の場合に効果的である。すなわち、意匠性が高いコンピュータ周辺機器が得られる。
尚、この第２１の本発明は、多色化可能性、電磁波フリー特性、耐振動特性、微細化可能性、形状自由度特性、超薄型特性、軽量特性などにおいて特に優れている。中でも、多色化可能性は優れている。
【０１８２】
第２２の本発明（無機ＥＬ発光体装置）は、無機ＥＬ発光体（無機ＥＬ発光源）を具備した無機ＥＬ発光体装置である。そして、この無機ＥＬ発光体装置がワードプロセッサにおける発光装置に組み込まれたものである。このように構成させた本発明は、意匠性が高いワードプロセッサが得られる特長を有する。
尚、この第２２の本発明は、多色化可能性、電磁波フリー特性、耐振動特性、微細化可能性、形状自由度特性、超薄型特性、軽量特性などにおいて特に優れている。中でも、多色化可能性は優れている。
【０１８３】
第２３の本発明（無機ＥＬ発光体装置）は、無機ＥＬ発光体（無機ＥＬ発光源）を具備した無機ＥＬ発光体装置である。そして、この無機ＥＬ発光体装置が印刷機における発光装置に組み込まれたものである。このように構成させた本発明は、意匠性が高い葉書印刷機、写真印刷機、ラベル印刷機などが得られる特長を有する。
尚、この第２３の本発明は、多色化可能性、耐振動特性、微細化可能性、形状自由度特性、超薄型特性、軽量特性などにおいて特に優れている。中でも、多色化可能性は優れている。
【０１８４】
第２４の本発明（無機ＥＬ発光体装置）は、無機ＥＬ発光体（無機ＥＬ発光源）を具備した無機ＥＬ発光体装置である。そして、この無機ＥＬ発光体装置が音響機器における発光装置に組み込まれたものである。このように構成させた本発明は、意匠性が高い楽器、ポータブルオーディオプレーヤ、セットコンポ、アンプ、チューナ、イコライザ、録音機、デジタルオーディオプレーヤ、スピーカ、カーオーディオなどが得られる特長を有する。
尚、この第２４の本発明は、多色化可能性、電磁波フリー特性、耐振動特性、微細化可能性、形状自由度特性、超薄型特性、軽量特性などにおいて特に優れている。中でも、多色化可能性は優れている。
【０１８５】
第２５の本発明（無機ＥＬ発光体装置）は、無機ＥＬ発光体（無機ＥＬ発光源）を具備した無機ＥＬ発光体装置である。そして、この無機ＥＬ発光体装置が映像機器における発光装置に組み込まれたものである。このように構成させた本発明は、意匠性が高いテレビ、テレビ付インターホン、カーナビ、カメラ、ビデオカメラなどが得られる特長を有する。
尚、この第２５の本発明は、多色化可能性、電磁波フリー特性、微細化可能性、形状自由度特性、超薄型特性、軽量特性などにおいて特に優れている。中でも、多色化可能性は優れている。
【０１８６】
第２６の本発明（無機ＥＬ発光体装置）は、無機ＥＬ発光体（無機ＥＬ発光源）を具備した無機ＥＬ発光体装置である。そして、この無機ＥＬ発光体装置が通信機器における発光装置に組み込まれたものである。このように構成させた本発明は、意匠性が高い携帯電話、家庭用電話、公衆電話、ＦＡＸ機、トランシーバ、無線機、インターホンなどが得られる特長を有する。
尚、この第２６の本発明は、多色化可能性、電磁波フリー特性、耐振動性、耐低温性、耐高温性、微細化可能性、形状自由度特性、超薄型特性、軽量特性などにおいて特に優れている。中でも、多色化可能性は優れている。
【０１８７】
第２７の本発明（無機ＥＬ発光体装置）は、無機ＥＬ発光体（無機ＥＬ発光源）を具備した無機ＥＬ発光体装置である。そして、この無機ＥＬ発光体装置が健康機器における発光装置に組み込まれたものである。このように構成させた本発明は、意匠性が高いヘルスメーター、体脂肪計、血圧計、電動歯ブラシ、口腔洗浄機、スチーム洗浄機、歩数計などが得られる特長を有する。
尚、この第２７の本発明は、多色化可能性、電磁波フリー特性、ＵＶフリー特性、耐振動性、微細化可能性、形状自由度特性、超薄型特性、軽量特性などにおいて特に優れている。中でも、多色化可能性は優れている。
【０１８８】
第２８の本発明（無機ＥＬ発光体装置）は、無機ＥＬ発光体（無機ＥＬ発光源）を具備した無機ＥＬ発光体装置である。そして、この無機ＥＬ発光体装置が治療機器における発光装置に組み込まれたものである。このように構成させた本発明は、意匠性が高いマッサージ機、高、低周波治療機、赤外線治療機、電位治療機、放射線治療機などが得られる特長を有する。
尚、この第２８の本発明は、多色化可能性、電磁波フリー特性、ＵＶフリー特性、耐振動性、微細化可能性、耐加水分解性、形状自由度特性、超薄型特性、軽量特性などにおいて特に優れている。中でも、多色化可能性は優れている。
【０１８９】
第２９の本発明（無機ＥＬ発光体装置）は、無機ＥＬ発光体（無機ＥＬ発光源）を具備した無機ＥＬ発光体装置である。そして、この無機ＥＬ発光体装置が検査装置における発光装置に組み込まれたものである。このように構成させた本発明は、意匠性が高いアルコールセンサ、心拍計、体温計などが得られる特長を有する。
尚、この第２９の本発明は、多色化可能性、電磁波フリー特性、ＵＶフリー特性、耐振動性、耐低温性、耐高温性、耐加水分解性、微細化可能性、形状自由度特性、超薄型特性、軽量特性などにおいて特に優れている。中でも、多色化可能性は優れている。
【０１９０】
第３０の本発明（無機ＥＬ発光体装置）は、無機ＥＬ発光体（無機ＥＬ発光源）を具備した無機ＥＬ発光体装置である。そして、この無機ＥＬ発光体装置が携帯機器における発光装置に組み込まれたものである。このように構成させた本発明は、意匠性が高く、発光によって注目度を高めることなどを目的とする腕時計、団扇、傘、杖、釣具、バッグ、モバイルＰＣ、ＰＤＡ、携帯電話、ゲーム機、リモコン、電子辞書などの電子機器などが得られる特長を有する。これ等の中、腕時計、団扇、傘、杖などは、安全性にも優れている。釣具である竿は周囲との接触を防ぐことも出来、又、同じく釣具である浮きで周囲との接触を防ぐ以外にも集魚効果も有る。
尚、この第３０の本発明は、明所コントラスト性、多色化可能性、電磁波フリー特性、ＵＶフリー特性、耐振動性、耐低温性、耐高温性、微細化可能性、形状自由度特性、超薄型特性、軽量特性などにおいて特に優れている。中でも、多色化可能性は優れている。
【０１９１】
第３１の本発明（無機ＥＬ発光体装置）は、無機ＥＬ発光体（無機ＥＬ発光源）を具備した無機ＥＬ発光体装置である。そして、この無機ＥＬ発光体装置が自動販売機における発光装置に組み込まれたものである。このように構成させた本発明は、意匠性が高い特長が有る。
尚、この第３１の本発明は、明所コントラスト性、多色化可能性、寿命特性、耐振動性、耐低温性、耐高温性、耐加水分解性、微細化可能性、形状自由度特性、超薄型特性、軽量特性などにおいて特に優れている。中でも、多色化可能性は優れている。
【０１９２】
第３２の本発明（無機ＥＬ発光体装置）は、無機ＥＬ発光体（無機ＥＬ発光源）を具備した無機ＥＬ発光体装置である。そして、この無機ＥＬ発光体装置が発光インジケータ装置に組み込まれたものである。このように構成させた本発明は、各種機器に少なくとも一つ備えられ、発光によって機器の使用状態等を示すことが出来る。そして、文字や絵の近傍に備えたランプ状の物、文字や絵の形状の透過部を背後から照射して該透過部を強調するものなどが有る。
尚、この第３２の本発明は、明所コントラスト性、多色化可能性、寿命特性、微細化可能性、形状自由度特性、超薄型特性、軽量特性などにおいて特に優れている。
【０１９３】
第３３の本発明（無機ＥＬ発光体装置）は、無機ＥＬ発光体（無機ＥＬ発光源）を具備した無機ＥＬ発光体装置である。そして、この無機ＥＬ発光体装置が家庭用電気製品における発光インジケータ装置に組み込まれたものである。このように構成させた本発明は、意匠性が高く、かつ、使用状態等を示す等の目的で発光部を有するものに好適である。例えば、画像表示装置（テレビ、モニタ）、録画装置、音響機器、家庭用ゲーム機、冷蔵庫、冷凍庫、保冷装置、保温装置、製氷機、電気ポット、洗濯機、掃除機、食器洗浄機、乾燥機（食器用、衣類用、布団、頭髪用など）、加湿器、空気清浄機、マイナスイオン発生器、冷暖房器具（エアコン、ストーブ、オイルヒータ、ファンヒータ、コタツ、電気行火、電気毛布、電気カーペット、扇風機、など）、調理器具（電子レンジ、コンロ、炊飯器、精米機、ホームベーカリ、餅つき機、トースタ、オーブン、コーヒーメーカ、フードプロセッサ）、湯沸し機、生ごみ処理機、換気扇、アイロン、プレッサ、シェーバ（髭剃り、バリカン、無駄毛切り）、便座などに好適に用いられる。
尚、この第３３の本発明は、明所コントラスト性、多色化可能性、寿命特性、耐振動性、耐低温性、耐高温性、微細化可能性、形状自由度特性、超薄型特性、軽量特性などにおいて特に優れている。
【０１９４】
第３４の本発明（無機ＥＬ発光体装置）は、無機ＥＬ発光体（無機ＥＬ発光源）を具備した無機ＥＬ発光体装置である。そして、この無機ＥＬ発光体装置がオフィス用電気製品における発光インジケータ装置に組み込まれたものである。このように構成させた本発明は、意匠性が高く、使用状態等を示す等の目的で発光部を有するものに好適である。例えば、シュレッダ、ラミネータ、タイムレコーダ、レジスタ等に好適に用いられる。
尚、この第３４の本発明は、明所コントラスト性、多色化可能性、電磁波フリー特性、寿命特性、耐振動性、微細化可能性、形状自由度特性、超薄型特性、軽量特性などにおいて特に優れている。
【０１９５】
第３５の本発明（無機ＥＬ発光体装置）は、無機ＥＬ発光体（無機ＥＬ発光源）を具備した無機ＥＬ発光体装置である。そして、この無機ＥＬ発光体装置が家具における発光インジケータ装置に組み込まれたものである。このように構成させた本発明は、意匠性が高く、使用状態等を示す等の目的で発光部を有する椅子、机、箪笥、棚、キャビネット等に好適である。
尚、この第３５の本発明は、明所コントラスト性、多色化可能性、ＵＶフリー特性、寿命特性、微細化可能性、形状自由度特性、超薄型特性、軽量特性などにおいて特に優れている。
【０１９６】
第３６の本発明（無機ＥＬ発光体装置）は、無機ＥＬ発光体（無機ＥＬ発光源）を具備した無機ＥＬ発光体装置である。そして、この無機ＥＬ発光体装置が計算機における発光インジケータ装置に組み込まれたものである。このように構成させた本発明は、意匠性が高く、使用状態等を示す等の目的で発光部を有する計算機、デスクトップコンピュータ、ノート型コンピュータ、携帯コンピュータ、ＰＤＡ等に好適である。
尚、この第３６の本発明は、多色化可能性、電磁波フリー特性、耐振動性微細化可能性、形状自由度特性、超薄型特性、軽量特性などにおいて特に優れている。
【０１９７】
第３７の本発明（無機ＥＬ発光体装置）は、無機ＥＬ発光体（無機ＥＬ発光源）を具備した無機ＥＬ発光体装置である。そして、この無機ＥＬ発光体装置が計算機周辺機器における発光インジケータ装置に組み込まれたものである。このように構成させた本発明は、意匠性が高く、使用状態等を示す等の目的で発光部を有する計算機用のプリンタ、記憶用ドライブ、スキャナ、マウス、入力機器（キーボード、タブレットなど）、スピーカ、ハブコネクタ等に好適である。
尚、この第３７の本発明は、多色化可能性、電磁波フリー特性、耐振動性微細化可能性、形状自由度特性、超薄型特性、軽量特性などにおいて特に優れている。
【０１９８】
第３８の本発明（無機ＥＬ発光体装置）は、無機ＥＬ発光体（無機ＥＬ発光源）を具備した無機ＥＬ発光体装置である。そして、この無機ＥＬ発光体装置がワードプロセッサにおける発光インジケータ装置に組み込まれたものである。このように構成させた本発明は意匠性が高い。又、使用状態などを示す等の目的で好ましく用いられる。
尚、この第３８の本発明は、多色化可能性、電磁波フリー特性、耐振動性、微細化可能性、形状自由度特性、超薄型特性、軽量特性などにおいて特に優れている。
【０１９９】
第３９の本発明（無機ＥＬ発光体装置）は、無機ＥＬ発光体（無機ＥＬ発光源）を具備した無機ＥＬ発光体装置である。そして、この無機ＥＬ発光体装置が印刷機における発光インジケータ装置に組み込まれたものである。このように構成させた本発明は、意匠性が高く、葉書印刷機、写真印刷機、ラベル印刷機などに好適である。又、使用状態などを示す等の目的で好ましく用いられる。
尚、この第３９の本発明は、多色化可能性、耐振動性、微細化可能性、形状自由度特性、超薄型特性、軽量特性などにおいて特に優れている。
【０２００】
第４０の本発明（無機ＥＬ発光体装置）は、無機ＥＬ発光体（無機ＥＬ発光源）を具備した無機ＥＬ発光体装置である。そして、この無機ＥＬ発光体装置が音響機器における発光インジケータ装置に組み込まれたものである。このように構成させた本発明は、意匠性が高く、楽器、ポータブルオーディオプレーヤ、セットコンポ、アンプ、チューナ、イコライザ、録音機、デジタルオーディオプレーヤ、スピーカ、カーオーディオ、ラジオ等に好適である。又、使用状態などを示す等の目的で好ましく用いられる。
尚、この第４０の本発明は、多色化可能性、電磁波フリー特性、耐振動性、微細化可能性、形状自由度特性、超薄型特性、軽量特性などにおいて特に優れている。
【０２０１】
第４１の本発明（無機ＥＬ発光体装置）は、無機ＥＬ発光体（無機ＥＬ発光源）を具備した無機ＥＬ発光体装置である。そして、この無機ＥＬ発光体装置が映像機器における発光インジケータ装置に組み込まれたものである。このように構成させた本発明は、意匠性が高く、テレビ、テレビ付インターホン、カーナビ、カメラ、ビデオカメラ、プロジェクタ等に好適である。又、使用状態などを示す等の目的で好ましく用いられる。
尚、この第４１の本発明は、多色化可能性、電磁波フリー特性、微細化可能性、形状自由度特性、超薄型特性、軽量特性などにおいて特に優れている。
【０２０２】
第４２の本発明（無機ＥＬ発光体装置）は、無機ＥＬ発光体（無機ＥＬ発光源）を具備した無機ＥＬ発光体装置である。そして、この無機ＥＬ発光体装置が通信機器における発光インジケータ装置に組み込まれたものである。このように構成させた本発明は、意匠性が高く、携帯電話、家庭用電話、公衆電話、ＦＡＸ機、トランシーバ、無線機、インターホン等に好適である。又、使用状態などを示す等の目的で好ましく用いられる。
尚、この第４２の本発明は、多色化可能性、電磁波フリー特性、耐振動性、耐低温性、耐高温性、微細化可能性、形状自由度特性、超薄型特性、軽量特性などにおいて特に優れている。
【０２０３】
第４３の本発明（無機ＥＬ発光体装置）は、無機ＥＬ発光体（無機ＥＬ発光源）を具備した無機ＥＬ発光体装置である。そして、この無機ＥＬ発光体装置が健康機器における発光インジケータ装置に組み込まれたものである。このように構成させた本発明は、意匠性が高く、ヘルスメータ、体脂肪計、血圧計、電動歯ブラシ、口腔洗浄機、スチーム洗浄機、歩数計などに好適である。又、使用状態などを示す等の目的で好ましく用いられる。
尚、この第４３の本発明は、多色化可能性、電磁波フリー特性、ＵＶフリー特性、耐振動性、微細化可能性、形状自由度特性、超薄型特性、軽量特性などにおいて特に優れている。
【０２０４】
第４４の本発明（無機ＥＬ発光体装置）は、無機ＥＬ発光体（無機ＥＬ発光源）を具備した無機ＥＬ発光体装置である。そして、この無機ＥＬ発光体装置が治療機器における発光インジケータ装置に組み込まれたものである。このように構成させた本発明は、意匠性が高く、マッサージ機、高・低周波治療機、赤外線治療機、電位治療機、放射線治療機などに好適である。又、使用状態などを示す等の目的で好ましく用いられる。
尚、この第４４の本発明は、多色化可能性、電磁波フリー特性、ＵＶフリー特性、耐振動性、耐加水分解性、微細化可能性、形状自由度特性、超薄型特性、軽量特性などにおいて特に優れている。
【０２０５】
第４５の本発明（無機ＥＬ発光体装置）は、無機ＥＬ発光体（無機ＥＬ発光源）を具備した無機ＥＬ発光体装置である。そして、この無機ＥＬ発光体装置が検査装置における発光インジケータ装置に組み込まれたものである。このように構成させた本発明は、意匠性が高く、アルコールセンサ、心拍計、体温計などに好適である。又、使用状態などを示す等の目的で好ましく用いられる。
尚、この第４５の本発明は、多色化可能性、電磁波フリー特性、ＵＶフリー特性、耐振動性、耐低温性、耐高温性、微細化可能性、形状自由度特性、超薄型特性、軽量特性などにおいて特に優れている。
【０２０６】
第４６の本発明（無機ＥＬ発光体装置）は、無機ＥＬ発光体（無機ＥＬ発光源）を具備した無機ＥＬ発光体装置である。そして、この無機ＥＬ発光体装置が携帯機器における発光インジケータ装置に組み込まれたものである。このように構成させた本発明は、意匠性が高く、発光によって注目度を高めること等を目的とする腕時計、団扇、傘、杖、釣具、バッグ、モバイルＰＣ，ＰＤＡ、携帯電話、ゲーム機、リモコン、電子辞書などの電子機器などに好適である。又、使用状態などを示す等の目的で好ましく用いられる。
尚、この第４６の本発明は、明所コントラスト性、多色化可能性、電磁波フリー特性、ＵＶフリー特性、耐振動性、微細化可能性、形状自由度特性、超薄型特性、軽量特性などにおいて特に優れている。
【０２０７】
第４７の本発明（無機ＥＬ発光体装置）は、無機ＥＬ発光体（無機ＥＬ発光源）を具備した無機ＥＬ発光体装置である。そして、この無機ＥＬ発光体装置が自動販売機における発光インジケータ装置に組み込まれたものである。このように構成させた本発明は、意匠性が高い。又、使用状態などを示す等の目的で好ましく用いられる。
尚、この第４７の本発明は、明所コントラスト性、多色化可能性、寿命特性、耐振動性、耐低温性、耐高温性、耐加水分解性、微細化可能性、形状自由度特性、超薄型特性、軽量特性などにおいて特に優れている。
【０２０８】
第４８の本発明（無機ＥＬ発光体装置）は、無機ＥＬ発光体（無機ＥＬ発光源）を具備した無機ＥＬ発光体装置である。そして、この無機ＥＬ発光体装置が自転車における発光装置に組み込まれたものである。このように構成させた本発明は、意匠性が高く、低電圧で高い照明性能を示す自家発電型、電池式の自転車発光体に好適である。そして、低電圧で良いから安全性にも富む。
尚、この第４８の本発明は、明所コントラスト性、多色化可能性、耐振動性、耐低温性、耐高温性、耐加水分解性、微細化可能性、形状自由度特性、超薄型特性、軽量特性などにおいて特に優れている。中でも、耐振動性や耐加水分解性は優れている。
【０２０９】
第４９の本発明（無機ＥＬ発光体装置）は、無機ＥＬ発光体（無機ＥＬ発光源）を具備した無機ＥＬ発光体装置である。そして、この無機ＥＬ発光体装置が自転車におけるヘッドランプ装置に組み込まれたものである。このように構成させた本発明は、意匠性が高く、低電圧で高い照明性能が得られ、しかも低電圧で良いから安全性にも富む。
尚、この第４９の本発明は、明所コントラスト性、寿命特性、耐振動性、耐低温性、耐高温性、耐加水分解性、微細化可能性、形状自由度特性、超薄型特性、軽量特性などにおいて特に優れている。中でも、耐振動性や耐加水分解性は優れている。
【０２１０】
第５０の本発明（無機ＥＬ発光体装置）は、無機ＥＬ発光体（無機ＥＬ発光源）を具備した無機ＥＬ発光体装置である。そして、この無機ＥＬ発光体装置が自転車における視認安全装置に組み込まれたものである。このように構成させた本発明は、意匠性が高く、安全性に富む。そして、本発明は、車輪部や泥除け部などに配される。反射板と合わせて用いたり、或いは一体となって反射板の機能を高めることも出来る。
尚、この第５０の本発明は、明所コントラスト性、多色化可能性、寿命特性、耐振動性、耐低温性、耐高温性、耐加水分解性、微細化可能性、形状自由度特性、超薄型特性、軽量特性などにおいて特に優れている。中でも、耐振動性や耐加水分解性は優れている。
【０２１１】
第５１の本発明（無機ＥＬ発光体装置）は、無機ＥＬ発光体（無機ＥＬ発光源）を具備した無機ＥＬ発光体装置である。そして、この無機ＥＬ発光体装置が屋内照明装置に組み込まれたものである。このように構成させた本発明は、意匠性が高く、薄型で輝度均一性が高い特長を奏する。
尚、この第５１の本発明は、多色化可能性、電磁波フリー特性、ＵＶフリー特性、寿命特性、微細化可能性、形状自由度特性、超薄型特性、軽量特性などにおいて特に優れている。
【０２１２】
第５２の本発明（無機ＥＬ発光体装置）は、無機ＥＬ発光体（無機ＥＬ発光源）を具備した無機ＥＬ発光体装置である。そして、この無機ＥＬ発光体装置が手術用照明装置に組み込まれたものである。このように構成させた本発明は、意匠性が高く、輝度均一性が高い特長を奏する。
尚、この第５２の本発明は、電磁波フリー特性、ＵＶフリー特性、寿命特性、微細化可能性、形状自由度特性、超薄型特性、軽量特性などにおいて特に優れている。中でも、電磁波フリー特性は優れている。
【０２１３】
第５３の本発明（無機ＥＬ発光体装置）は、無機ＥＬ発光体（無機ＥＬ発光源）を具備した無機ＥＬ発光体装置である。そして、この無機ＥＬ発光体装置が病院内照明装置に組み込まれたものである。このように構成させた本発明は、意匠性が高く、輝度均一性が高い特長を奏する。
尚、この第５３の本発明は、電磁波フリー特性、ＵＶフリー特性、寿命特性、微細化可能性、形状自由度特性、超薄型特性、軽量特性などにおいて特に優れている。中でも、電磁波フリー特性は優れている。
【０２１４】
第５４の本発明（無機ＥＬ発光体装置）は、無機ＥＬ発光体（無機ＥＬ発光源）を具備した無機ＥＬ発光体装置である。そして、この無機ＥＬ発光体装置が電子機器が設置された屋内の照明装置に組み込まれたものである。このように構成させた本発明は、意匠性が高く、輝度均一性が高い特長を奏する。
尚、この第５４の本発明は、電磁波フリー特性、ＵＶフリー特性、寿命特性、微細化可能性、形状自由度特性、超薄型特性、軽量特性などにおいて特に優れている。中でも、電磁波フリー特性は優れている。
【０２１５】
第５５の本発明（無機ＥＬ発光体装置）は、無機ＥＬ発光体（無機ＥＬ発光源）を具備した無機ＥＬ発光体装置である。そして、この無機ＥＬ発光体装置が美術館内の照明装置に組み込まれたものである。このように構成させた本発明は、意匠性が高く、輝度均一性が高い特長を奏する。
尚、この第５５の本発明は、電磁波フリー特性、ＵＶフリー特性、寿命特性、微細化可能性、形状自由度特性、超薄型特性、軽量特性などにおいて特に優れている。中でも、電磁波フリー特性は優れている。
【０２１６】
第５６の本発明（無機ＥＬ発光体装置）は、無機ＥＬ発光体（無機ＥＬ発光源）を具備した無機ＥＬ発光体装置である。そして、この無機ＥＬ発光体装置が博物館内の照明装置に組み込まれたものである。このように構成させた本発明は、意匠性が高く、輝度均一性が高い特長を奏する。
尚、この第５６の本発明は、電磁波フリー特性、ＵＶフリー特性、寿命特性、微細化可能性、形状自由度特性、超薄型特性、軽量特性などにおいて特に優れている。中でも、電磁波フリー特性は優れている。
【０２１７】
第５７の本発明（無機ＥＬ発光体装置）は、無機ＥＬ発光体（無機ＥＬ発光源）を具備した無機ＥＬ発光体装置である。そして、この無機ＥＬ発光体装置が樹脂硬化プロセス用照明装置に組み込まれたものである。このように構成させた本発明は、意匠性が高く、輝度均一性が高い特長を奏する。
尚、この第５７の本発明は、電磁波フリー特性、ＵＶフリー特性、寿命特性、微細化可能性、形状自由度特性、超薄型特性、軽量特性などにおいて特に優れている。中でも、電磁波フリー特性やＵＶフリー特性は優れている。
【０２１８】
第５８の本発明（無機ＥＬ発光体装置）は、無機ＥＬ発光体（無機ＥＬ発光源）を具備した無機ＥＬ発光体装置である。そして、この無機ＥＬ発光体装置がＵＶ硬化プロセス用照明装置に組み込まれたものである。このように構成させた本発明は、意匠性が高く、輝度均一性が高い特長を奏する。そして、本発明は、半導体、ＬＣＤパネル、ＰＤＰパネル、光ディスク、これらの成形金型、ＵＶ硬化による微細デバイス製造プロセスなどに好適である。
尚、この第５８の本発明は、電磁波フリー特性、ＵＶフリー特性、寿命特性、微細化可能性、形状自由度特性、超薄型特性、軽量特性などにおいて特に優れている。中でも、電磁波フリー特性やＵＶフリー特性は優れている。
【０２１９】
第５９の本発明（無機ＥＬ発光体装置）は、無機ＥＬ発光体（無機ＥＬ発光源）を具備した無機ＥＬ発光体装置である。そして、この無機ＥＬ発光体装置が検査装置における光照射装置に組み込まれたものである。このように構成させた本発明は、意匠性が高く、輝度均一性が高い特長を奏する。
尚、この第５９の本発明は、電磁波フリー特性、寿命特性、耐振動性、耐低温性、耐高温性、微細化可能性、形状自由度特性、超薄型特性、軽量特性などにおいて特に優れている。
【０２２０】
第６０の本発明（無機ＥＬ発光体装置）は、無機ＥＬ発光体（無機ＥＬ発光源）を具備した無機ＥＬ発光体装置である。そして、この無機ＥＬ発光体装置が顕微鏡における光照射装置に組み込まれたものである。このように構成させた本発明は、意匠性が高く、輝度均一性が高い特長を奏する。
尚、この第６０の本発明は、電磁波フリー特性、耐振動性、微細化可能性、形状自由度特性、超薄型特性、軽量特性などにおいて特に優れている。
【０２２１】
第６１の本発明（無機ＥＬ発光体装置）は、無機ＥＬ発光体（無機ＥＬ発光源）を具備した無機ＥＬ発光体装置である。そして、この無機ＥＬ発光体装置が液体検査装置における光照射装置に組み込まれたものである。このように構成させた本発明は、意匠性が高く、輝度均一性が高い特長を奏する。
尚、この第６１の本発明は、電磁波フリー特性、耐振動性、微細化可能性、形状自由度特性、超薄型特性、軽量特性などにおいて特に優れている。
【０２２２】
第６２の本発明（無機ＥＬ発光体装置）は、無機ＥＬ発光体（無機ＥＬ発光源）を具備した無機ＥＬ発光体装置である。そして、この無機ＥＬ発光体装置が尿検査装置における光照射装置に組み込まれたものである。このように構成させた本発明は、意匠性が高く、輝度均一性が高い特長を奏する。
尚、この第６２の本発明は、電磁波フリー特性、耐振動性、耐加水分解性、微細化可能性、形状自由度特性、超薄型特性、軽量特性などにおいて特に優れている。
【０２２３】
第６３の本発明（無機ＥＬ発光体装置）は、無機ＥＬ発光体（無機ＥＬ発光源）を具備した無機ＥＬ発光体装置である。そして、この無機ＥＬ発光体装置が血液検査装置における光照射装置に組み込まれたものである。このように構成させた本発明は、意匠性が高く、輝度均一性が高い特長を奏する。
尚、この第６３の本発明は、電磁波フリー特性、耐振動性、耐加水分解性、微細化可能性、形状自由度特性、超薄型特性、軽量特性などにおいて特に優れている。
【０２２４】
第６４の本発明（無機ＥＬ発光体装置）は、無機ＥＬ発光体（無機ＥＬ発光源）を具備した無機ＥＬ発光体装置である。そして、この無機ＥＬ発光体装置が水質検査装置における光照射装置に組み込まれたものである。このように構成させた本発明は、意匠性が高く、輝度均一性が高い特長を奏する。
尚、この第６４の本発明は、電磁波フリー特性、耐振動性、耐加水分解性、微細化可能性、形状自由度特性、超薄型特性、軽量特性などにおいて特に優れている。
【０２２５】
第６５の本発明（無機ＥＬ発光体装置）は、無機ＥＬ発光体（無機ＥＬ発光源）を具備した無機ＥＬ発光体装置である。そして、この無機ＥＬ発光体装置が固体検査装置における光照射装置に組み込まれたものである。このように構成させた本発明は、意匠性が高く、輝度均一性が高い特長を奏する。
尚、この第６５の本発明は、電磁波フリー特性、耐振動性、微細化可能性、形状自由度特性、超薄型特性、軽量特性などにおいて特に優れている。
【０２２６】
第６６の本発明（無機ＥＬ発光体装置）は、無機ＥＬ発光体（無機ＥＬ発光源）を具備した無機ＥＬ発光体装置である。そして、この無機ＥＬ発光体装置が外形検査装置における光照射装置に組み込まれたものである。このように構成させた本発明は、意匠性が高く、輝度均一性が高い特長を奏する。
尚、この第６６の本発明は、電磁波フリー特性、微細化可能性、形状自由度特性、超薄型特性、軽量特性などにおいて特に優れている。
【０２２７】
第６７の本発明（無機ＥＬ発光体装置）は、無機ＥＬ発光体（無機ＥＬ発光源）を具備した無機ＥＬ発光体装置である。そして、この無機ＥＬ発光体装置が表面傷検査装置における光照射装置に組み込まれたものである。このように構成させた本発明は、意匠性が高く、輝度均一性が高い特長を奏する。
尚、この第６７の本発明は、電磁波フリー特性、微細化可能性、形状自由度特性、超薄型特性、軽量特性などにおいて特に優れている。
【０２２８】
第６８の本発明（無機ＥＬ発光体装置）は、無機ＥＬ発光体（無機ＥＬ発光源）を具備した無機ＥＬ発光体装置である。そして、この無機ＥＬ発光体装置が輝度測定装置における光照射装置に組み込まれたものである。このように構成させた本発明は、意匠性が高く、輝度均一性が高い特長を奏する。
尚、この第６８の本発明は、電磁波フリー特性、微細化可能性、形状自由度特性、超薄型特性、軽量特性などにおいて特に優れている。
【０２２９】
第６９の本発明（無機ＥＬ発光体装置）は、無機ＥＬ発光体（無機ＥＬ発光源）を具備した無機ＥＬ発光体装置である。そして、この無機ＥＬ発光体装置がヘイズ測定装置における光照射装置に組み込まれたものである。このように構成させた本発明は、意匠性が高く、輝度均一性が高い特長を奏する。
尚、この第６９の本発明は、電磁波フリー特性、微細化可能性、形状自由度特性、超薄型特性、軽量特性などにおいて特に優れている。
【０２３０】
第７０の本発明（無機ＥＬ発光体装置）は、無機ＥＬ発光体（無機ＥＬ発光源）を具備した無機ＥＬ発光体装置である。そして、この無機ＥＬ発光体装置がグレア測定装置における光照射装置に組み込まれたものである。このように構成させた本発明は、意匠性が高く、輝度均一性が高い特長を奏する。
尚、この第７０の本発明は、電磁波フリー特性、微細化可能性、形状自由度特性、超薄型特性、軽量特性などにおいて特に優れている。
【０２３１】
第７１の本発明（無機ＥＬ発光体装置）は、無機ＥＬ発光体（無機ＥＬ発光源）を具備した無機ＥＬ発光体装置である。そして、この無機ＥＬ発光体装置が眼球検査装置における光照射装置に組み込まれたものである。このように構成させた本発明は、意匠性が高く、輝度均一性が高い特長を奏する。
尚、この第７１の本発明は、電磁波フリー特性、微細化可能性、形状自由度特性、超薄型特性、軽量特性などにおいて特に優れている。
【０２３２】
第７２の本発明（無機ＥＬ発光体装置）は、無機ＥＬ発光体（無機ＥＬ発光源）を具備した無機ＥＬ発光体装置である。そして、この無機ＥＬ発光体装置が視線検出装置における光照射装置に組み込まれたものである。このように構成させた本発明は、意匠性が高く、輝度均一性が高い特長を奏する。
尚、この第７２の本発明は、電磁波フリー特性、微細化可能性、形状自由度特性、超薄型特性、軽量特性などにおいて特に優れている。
【０２３３】
第７３の本発明（無機ＥＬ発光体装置）は、無機ＥＬ発光体（無機ＥＬ発光源）を具備した無機ＥＬ発光体装置である。そして、この無機ＥＬ発光体装置が煙感知装置における光照射装置に組み込まれたものである。このように構成させた本発明は、意匠性が高く、輝度均一性が高い特長を奏する。
尚、この第７３の本発明は、電磁波フリー特性、微細化可能性、形状自由度特性、超薄型特性、軽量特性などにおいて特に優れている。
【０２３４】
第７４の本発明（無機ＥＬ発光体装置）は、無機ＥＬ発光体（無機ＥＬ発光源）を具備した無機ＥＬ発光体装置である。そして、この無機ＥＬ発光体装置が消化器検査装置における光照射装置に組み込まれたものである。このように構成させた本発明は、意匠性が高く、輝度均一性が高い特長を奏する。
尚、この第７４の本発明は、電磁波フリー特性、耐加水分解性、微細化可能性、形状自由度特性、超薄型特性、軽量特性などにおいて特に優れている。
【０２３５】
第７５の本発明（無機ＥＬ発光体装置）は、無機ＥＬ発光体（無機ＥＬ発光源）を具備した無機ＥＬ発光体装置である。そして、この無機ＥＬ発光体装置が口腔検査装置における光照射装置に組み込まれたものである。このように構成させた本発明は、意匠性が高く、輝度均一性が高い特長を奏する。
尚、この第７５の本発明は、電磁波フリー特性、耐加水分解性、微細化可能性、形状自由度特性、超薄型特性、軽量特性などにおいて特に優れている。
【０２３６】
第７６の本発明（無機ＥＬ発光体装置）は、無機ＥＬ発光体（無機ＥＬ発光源）を具備した無機ＥＬ発光体装置である。そして、この無機ＥＬ発光体装置が手術用装置における光照射装置に組み込まれたものである。このように構成させた本発明は、意匠性が高く、輝度均一性が高い特長を奏する。
尚、この第７６の本発明は、電磁波フリー特性、耐加水分解性、微細化可能性、形状自由度特性、超薄型特性、軽量特性などにおいて特に優れている。
【０２３７】
第７７の本発明（無機ＥＬ発光体装置）は、無機ＥＬ発光体（無機ＥＬ発光源）を具備した無機ＥＬ発光体装置である。そして、この無機ＥＬ発光体装置が内視鏡装置における光照射装置に組み込まれたものである。このように構成させた本発明は、意匠性が高く、輝度均一性が高い特長を奏する。
尚、この第７７の本発明は、電磁波フリー特性、耐加水分解性、微細化可能性、形状自由度特性、超薄型特性、軽量特性などにおいて特に優れている。
【０２３８】
第７８の本発明（無機ＥＬ発光体装置）は、無機ＥＬ発光体（無機ＥＬ発光源）を具備した無機ＥＬ発光体装置である。そして、この無機ＥＬ発光体装置が歯科装置における光照射装置に組み込まれたものである。このように構成させた本発明は、意匠性が高く、輝度均一性が高い特長を奏する。
尚、この第７８の本発明は、電磁波フリー特性、耐加水分解性、微細化可能性、形状自由度特性、超薄型特性、軽量特性などにおいて特に優れている。
【０２３９】
第７９の本発明（無機ＥＬ発光体装置）は、無機ＥＬ発光体（無機ＥＬ発光源）を具備した無機ＥＬ発光体装置である。そして、この無機ＥＬ発光体装置が被写体照明用の照明装置に組み込まれたものである。このように構成させた本発明は、意匠性が高く、輝度均一性が高い特長を奏する。
尚、この第７９の本発明は、耐振動性、微細化可能性、形状自由度特性、超薄型特性、軽量特性などにおいて特に優れている。
【０２４０】
第８０の本発明（無機ＥＬ発光体装置）は、無機ＥＬ発光体（無機ＥＬ発光源）を具備した無機ＥＬ発光体装置である。そして、この無機ＥＬ発光体装置がヘルメットにおける照明装置に組み込まれたものである。このように構成させた本発明は、意匠性が高く、輝度均一性が高い特長を奏する。
尚、この第８０の本発明は、耐振動性、耐加水分解性、微細化可能性、形状自由度特性、超薄型特性、軽量特性などにおいて特に優れている。中でも、耐加水分解性は優れている。
【０２４１】
第８１の本発明（無機ＥＬ発光体装置）は、無機ＥＬ発光体（無機ＥＬ発光源）を具備した無機ＥＬ発光体装置である。そして、この無機ＥＬ発光体装置が携帯装置における照明装置に組み込まれたものである。このように構成させた本発明は、意匠性が高く、輝度均一性が高い特長を奏する。そして、懐中電灯や腕時計などに応用される。又、比較的大型な可動型サーチライト、スポットライト等にも応用される。そして、特に、比較的大型であったものについては、軽量化による効果が大きい。
尚、この第８１の本発明は、耐振動性、微細化可能性、形状自由度特性、超薄型特性、軽量特性などにおいて特に優れている。中でも、耐加水分解性は優れている。
【０２４２】
第８２の本発明（無機ＥＬ発光体装置）は、無機ＥＬ発光体（無機ＥＬ発光源）を具備した無機ＥＬ発光体装置である。そして、この無機ＥＬ発光体装置が移動装置におけるヘッドランプ装置に組み込まれたものである。このように構成させた本発明は、意匠性が高く、輝度均一性が高い特長を奏する。そして、ヘッドランプやフォグランプ等に応用される。尚、移動装置としては、例えば旅客、貨物、工事、調査、試験、武装などを目的とする、人が乗り込むことを目的とする車輪やキャタピラ等を有する自動車、軌道車（電車、汽車、モノレール、ロープウェイ、リフト等）、又、船舶、潜水艦、潜水艇、飛行機、ヘリコプタ、飛行船、気球、ロケット等が挙げられる。特に、潜水艦、潜水艇、飛行機、ヘリコプタ、飛行船、気球、ロケット等にあっては、耐低温性、耐高温性、耐衝撃性などで好ましいものである。
尚、この第８２の本発明は、寿命特性、耐振動性、耐低温性、耐高温性、耐加水分解性、微細化可能性、形状自由度特性、超薄型特性、軽量特性などにおいて特に優れている。中でも、耐振動性や耐加水分解性は優れている。
【０２４３】
第８３の本発明（無機ＥＬ発光体装置）は、無機ＥＬ発光体（無機ＥＬ発光源）を具備した無機ＥＬ発光体装置である。そして、この無機ＥＬ発光体装置が移動装置におけるフォグランプ装置に組み込まれたものである。このように構成させた本発明は、意匠性が高く、輝度均一性が高い特長を奏する。尚、移動装置としては、例えば旅客、貨物、工事、調査、試験、武装などを目的とする、人が乗り込むことを目的とする車輪やキャタピラ等を有する自動車、軌道車（電車、汽車、モノレール、ロープウェイ、リフト等）、又、船舶、潜水艦、潜水艇、飛行機、ヘリコプタ、飛行船、気球、ロケット等が挙げられる。特に、潜水艦、潜水艇、飛行機、ヘリコプタ、飛行船、気球、ロケット等にあっては、耐低温性、耐高温性、耐衝撃性などで好ましいものである。
尚、この第８３の本発明は、明所コントラスト性、寿命特性、耐振動性、耐低温性、耐高温性、耐加水分解性、微細化可能性、形状自由度特性、超薄型特性、軽量特性などにおいて特に優れている。中でも、寿命特性、耐振動性や耐加水分解性は優れている。
【０２４４】
第８４の本発明（無機ＥＬ発光体装置）は、無機ＥＬ発光体（無機ＥＬ発光源）を具備した無機ＥＬ発光体装置である。そして、この無機ＥＬ発光体装置が移動装置におけるナンバープレート装置に組み込まれたものである。このように構成させた本発明は、意匠性が高く、輝度均一性が高い特長を奏する。
尚、この第８４の本発明は、多色化可能性、寿命特性、耐振動性、耐低温性、耐高温性、耐加水分解性、微細化可能性、形状自由度特性、超薄型特性、軽量特性などにおいて特に優れている。中でも、寿命特性、耐振動性や耐加水分解性は優れている。
【０２４５】
第８５の本発明（無機ＥＬ発光体装置）は、無機ＥＬ発光体（無機ＥＬ発光源）を具備した無機ＥＬ発光体装置である。そして、この無機ＥＬ発光体装置が移動装置における方向指示装置に組み込まれたものである。このように構成させた本発明は、意匠性が高く、輝度均一性が高い特長を奏する。
尚、この第８５の本発明は、明所コントラスト性、多色化可能性、寿命特性、耐振動性、耐低温性、耐高温性、耐加水分解性、微細化可能性、形状自由度特性、超薄型特性、軽量特性などにおいて特に優れている。中でも、寿命特性、耐振動性や耐加水分解性は優れている。
【０２４６】
第８６の本発明（無機ＥＬ発光体装置）は、無機ＥＬ発光体（無機ＥＬ発光源）を具備した無機ＥＬ発光体装置である。そして、この無機ＥＬ発光体装置が自転車における方向指示装置に組み込まれたものである。このように構成させた本発明は、意匠性が高く、輝度均一性が高い特長を奏する。
尚、この第８６の本発明は、明所コントラスト性、多色化可能性、寿命特性、耐振動性、耐低温性、耐高温性、耐加水分解性、微細化可能性、形状自由度特性、超薄型特性、軽量特性などにおいて特に優れている。中でも、耐振動性や耐加水分解性は優れている。
【０２４７】
第８７の本発明（無機ＥＬ発光体装置）は、無機ＥＬ発光体（無機ＥＬ発光源）を具備した無機ＥＬ発光体装置である。そして、この無機ＥＬ発光体装置が双眼鏡における光照射装置に組み込まれたものである。このように構成させた本発明は、意匠性が高く、輝度均一性が高い特長を奏する。
尚、この第８７の本発明は、耐振動性、耐加水分解性、微細化可能性、形状自由度特性、超薄型特性、軽量特性などにおいて特に優れている。
【０２４８】
第８８の本発明（無機ＥＬ発光体装置）は、無機ＥＬ発光体（無機ＥＬ発光源）を具備した無機ＥＬ発光体装置である。そして、この無機ＥＬ発光体装置が冷蔵庫における庫内照明装置に組み込まれたものである。このように構成させた本発明は、意匠性が高く、輝度均一性が高い特長を奏する。そして、庫内の照明装置として特に好ましい。
尚、この第８８の本発明は、寿命特性、耐振動性、耐低温性、耐高温性、耐加水分解性、微細化可能性、形状自由度特性、超薄型特性、軽量特性などにおいて特に優れている。中でも、耐低温性は優れている。
【０２４９】
第８９の本発明（無機ＥＬ発光体装置）は、無機ＥＬ発光体（無機ＥＬ発光源）を具備した無機ＥＬ発光体装置である。そして、この無機ＥＬ発光体装置が玩具における表示装置に組み込まれたものである。このように構成させた本発明は、意匠性が高く、輝度均一性が高い特長を奏する。又、低電圧で発光させることが出来るので、安全性に富む。そして、可動、非可動の球、棒、板、積み木、組み立てブロック、人形、乗用玩具、電子楽器、飛行玩具、浮遊玩具、模型（実在または架空の乗り物、生物、武器、建築物、ジオラマ、家庭用品などを同サイズまたは相似形で模したもの）などの玩具に好ましく用いることが出来る。
尚、この第８９の本発明は、明所コントラスト性、多色化可能性、電磁波フリー特性、ＵＶフリー特性、高速応答性（動画適性）、解像度特性、寿命特性、耐振動性、耐加水分解性、微細化可能性、形状自由度特性、超薄型特性、軽量特性などにおいて特に優れている。
【０２５０】
第９０の本発明（無機ＥＬ発光体装置）は、無機ＥＬ発光体（無機ＥＬ発光源）を具備した無機ＥＬ発光体装置である。そして、この無機ＥＬ発光体装置が家庭用電気製品における表示装置に組み込まれたものである。このように構成させた本発明は、意匠性が高く、輝度均一性が高い特長を奏する。
尚、この第９０の本発明は、明所コントラスト性、多色化可能性、電磁波フリー特性、ＵＶフリー特性、高速応答性（動画適性）、解像度特性、寿命特性、耐低温性、耐高温性、微細化可能性、形状自由度特性、超薄型特性、軽量特性などにおいて特に優れている。
【０２５１】
第９１の本発明（無機ＥＬ発光体装置）は、無機ＥＬ発光体（無機ＥＬ発光源）を具備した無機ＥＬ発光体装置である。そして、この無機ＥＬ発光体装置がオフィス用電気製品における表示装置に組み込まれたものである。このように構成させた本発明は、意匠性が高く、輝度均一性が高い特長を奏する。そして、例えば意匠性を高める等の目的で発光部を有するシュレッダ、ラミネータ、タイムレコーダ、レジスタなどに好ましく用いることが出来る。
尚、この第９１の本発明は、明所コントラスト性、多色化可能性、電磁波フリー特性、ＵＶフリー特性、高速応答性（動画適性）、解像度特性、微細化可能性、形状自由度特性、超薄型特性、軽量特性などにおいて特に優れている。
【０２５２】
第９２の本発明（無機ＥＬ発光体装置）は、無機ＥＬ発光体（無機ＥＬ発光源）を具備した無機ＥＬ発光体装置である。そして、この無機ＥＬ発光体装置が家具における表示装置に組み込まれたものである。このように構成させた本発明は、意匠性が高く、輝度均一性が高い特長を奏する。そして、例えば意匠性を高める等の目的で発光部を有する椅子、机、箪笥、棚、キャビネット等に好ましく用いることが出来る。
尚、この第９２の本発明は、明所コントラスト性、多色化可能性、電磁波フリー特性、ＵＶフリー特性、高速応答性（動画適性）、解像度特性、寿命特性、微細化可能性、形状自由度特性、超薄型特性、軽量特性などにおいて特に優れている。
【０２５３】
第９３の本発明（無機ＥＬ発光体装置）は、無機ＥＬ発光体（無機ＥＬ発光源）を具備した無機ＥＬ発光体装置である。そして、この無機ＥＬ発光体装置が計算機における表示装置に組み込まれたものである。このように構成させた本発明は、意匠性が高く、輝度均一性が高い特長を奏する。そして、例えば意匠性を高める等の目的で発光部を有する計算機、デスクトップコンピュータ、ノート型コンピュータ、携帯コンピュータ、ＰＤＡ等に好ましく用いることが出来る。
尚、この第９３の本発明は、明所コントラスト性、多色化可能性、電磁波フリー特性、耐振動性、微細化可能性、形状自由度特性、超薄型特性、軽量特性などにおいて特に優れている。
【０２５４】
第９４の本発明（無機ＥＬ発光体装置）は、無機ＥＬ発光体（無機ＥＬ発光源）を具備した無機ＥＬ発光体装置である。そして、この無機ＥＬ発光体装置が計算機周辺機器における表示装置に組み込まれたものである。このように構成させた本発明は、意匠性が高く、輝度均一性が高い特長を奏する。そして、例えば意匠性を高める等の目的で発光部を有する計算機用のプリンタ、記憶用ドライブ、スキャナ、マウス、入力機器（キーボード、タブレットなど）、スピーカ、ハブコネクタ等に好ましく用いることが出来る。
尚、この第９４の本発明は、明所コントラスト性、多色化可能性、電磁波フリー特性、耐振動性、微細化可能性、形状自由度特性、超薄型特性、軽量特性などにおいて特に優れている。
【０２５５】
第９５の本発明（無機ＥＬ発光体装置）は、無機ＥＬ発光体（無機ＥＬ発光源）を具備した無機ＥＬ発光体装置である。そして、この無機ＥＬ発光体装置がワードプロセッサにおける表示装置に組み込まれたものである。このように構成させた本発明は、意匠性が高く、輝度均一性が高い特長を奏する。
尚、この第９５の本発明は、明所コントラスト性、多色化可能性、電磁波フリー特性、耐振動性、微細化可能性、形状自由度特性、超薄型特性、軽量特性などにおいて特に優れている。
【０２５６】
第９６の本発明（無機ＥＬ発光体装置）は、無機ＥＬ発光体（無機ＥＬ発光源）を具備した無機ＥＬ発光体装置である。そして、この無機ＥＬ発光体装置が印刷装置における表示装置に組み込まれたものである。このように構成させた本発明は、意匠性が高く、輝度均一性が高い特長を奏する。そして、例えば葉書印刷機、写真印刷機、ラベル印刷機などに好ましく用いることが出来る。
尚、この第９６の本発明は、多色化可能性、電磁波フリー特性、耐振動性、微細化可能性、形状自由度特性、超薄型特性、軽量特性などにおいて特に優れている。
【０２５７】
第９７の本発明（無機ＥＬ発光体装置）は、無機ＥＬ発光体（無機ＥＬ発光源）を具備した無機ＥＬ発光体装置である。そして、この無機ＥＬ発光体装置が音響機器における表示装置に組み込まれたものである。このように構成させた本発明は、意匠性が高く、輝度均一性が高い特長を奏する。そして、例えば楽器、ポータブルオーディオプレーヤ、セットコンポ、アンプ、チューナ、イコライザ、録音機、デジタルオーディオプレーヤ、スピーカ、カーオーディオなどに好ましく用いることが出来る。
尚、この第９７の本発明は、多色化可能性、電磁波フリー特性、耐振動性、微細化可能性、形状自由度特性、超薄型特性、軽量特性などにおいて特に優れている。
【０２５８】
第９８の本発明（無機ＥＬ発光体装置）は、無機ＥＬ発光体（無機ＥＬ発光源）を具備した無機ＥＬ発光体装置である。そして、この無機ＥＬ発光体装置が映像機器における表示装置に組み込まれたものである。このように構成させた本発明は、意匠性が高く、輝度均一性が高い特長を奏する。そして、例えばテレビ、テレビ付インターホン、カーナビ、カメラ、ビデオカメラ等に好ましく用いることが出来る。
尚、この第９８の本発明は、明所コントラスト性、多色化可能性、電磁波フリー特性、高速応答性（動画適性）、解像度特性、微細化可能性、形状自由度特性、超薄型特性、軽量特性などにおいて特に優れている。中でも、多色化可能性は優れている。
【０２５９】
第９９の本発明（無機ＥＬ発光体装置）は、無機ＥＬ発光体（無機ＥＬ発光源）を具備した無機ＥＬ発光体装置である。そして、この無機ＥＬ発光体装置が通信機器における表示装置に組み込まれたものである。このように構成させた本発明は、意匠性が高く、輝度均一性が高い特長を奏する。そして、例えば携帯電話および家庭用電話、公衆電話、ＦＡＸ機、トランシーバ、無線機、インターホン等に好ましく用いることが出来る。
尚、この第９９の本発明は、多色化可能性、電磁波フリー特性、耐振動性、微細化可能性、形状自由度特性、超薄型特性、軽量特性などにおいて特に優れている。
【０２６０】
第１００の本発明（無機ＥＬ発光体装置）は、無機ＥＬ発光体（無機ＥＬ発光源）を具備した無機ＥＬ発光体装置である。そして、この無機ＥＬ発光体装置が健康機器における表示装置に組み込まれたものである。このように構成させた本発明は、意匠性が高く、輝度均一性が高い特長を奏する。そして、例えばヘルスメーター、体脂肪計、血圧計、電動歯ブラシ、口腔洗浄機、スチーム洗浄機、歩数計などに好ましく用いることが出来る。
尚、この第１００の本発明は、多色化可能性、耐振動性、微細化可能性、形状自由度特性、超薄型特性、軽量特性などにおいて特に優れている。
【０２６１】
第１０１の本発明（無機ＥＬ発光体装置）は、無機ＥＬ発光体（無機ＥＬ発光源）を具備した無機ＥＬ発光体装置である。そして、この無機ＥＬ発光体装置が治療機器における表示装置に組み込まれたものである。このように構成させた本発明は、意匠性が高く、輝度均一性が高い特長を奏する。そして、例えばマッサージ機、高、低周波治療機、赤外線治療機、電位治療機、放射線治療機などに好ましく用いることが出来る。
尚、この第１０１の本発明は、多色化可能性、電磁波フリー特性、ＵＶフリー特性、耐振動性、耐加水分解性、微細化可能性、形状自由度特性、超薄型特性、軽量特性などにおいて特に優れている。
【０２６２】
第１０２の本発明（無機ＥＬ発光体装置）は、無機ＥＬ発光体（無機ＥＬ発光源）を具備した無機ＥＬ発光体装置である。そして、この無機ＥＬ発光体装置が検査装置における表示装置に組み込まれたものである。このように構成させた本発明は、意匠性が高く、輝度均一性が高い特長を奏する。そして、例えばアルコールセンサ、心拍計、体温計などに好ましく用いることが出来る。
尚、この第１０２の本発明は、多色化可能性、電磁波フリー特性、ＵＶフリー特性、耐振動性、耐低温性、耐高温性、微細化可能性、形状自由度特性、超薄型特性、軽量特性などにおいて特に優れている。
【０２６３】
第１０３の本発明（無機ＥＬ発光体装置）は、無機ＥＬ発光体（無機ＥＬ発光源）を具備した無機ＥＬ発光体装置である。そして、この無機ＥＬ発光体装置が携帯機器における表示装置に組み込まれたものである。このように構成させた本発明は、意匠性が高く、輝度均一性が高い特長を奏する。そして、例えば発光によって注目度を高めること等を目的とする腕時計、団扇、傘、杖、釣具、バッグ、モバイルＰＣ、ＰＤＡ、携帯電話、ゲーム機、リモコン、電子辞書などの電子機器などに好ましく用いることが出来る。
尚、この第１０３の本発明は、明所コントラスト性、多色化可能性、電磁波フリー特性、ＵＶフリー特性、高速応答性（動画適性）、解像度特性、耐振動性、微細化可能性、形状自由度特性、超薄型特性、軽量特性などにおいて特に優れている。中でも、多色化可能性は優れている。
【０２６４】
第１０４の本発明（無機ＥＬ発光体装置）は、無機ＥＬ発光体（無機ＥＬ発光源）を具備した無機ＥＬ発光体装置である。そして、この無機ＥＬ発光体装置が衣服における表示装置に組み込まれたものである。このように構成させた本発明は、意匠性が高く、輝度均一性が高い特長を奏する。そして、例えば衣服の内側もしくは外側の表面に装着でき、ファッション性に富んだものが得られる。
尚、この第１０４の本発明は、明所コントラスト性、多色化可能性、電磁波フリー特性、ＵＶフリー特性、高速応答性（動画適性）、解像度特性、耐振動性、耐加水分解性、微細化可能性、形状自由度特性、超薄型特性、軽量特性などにおいて特に優れている。
【０２６５】
第１０５の本発明（無機ＥＬ発光体装置）は、無機ＥＬ発光体（無機ＥＬ発光源）を具備した無機ＥＬ発光体装置である。そして、この無機ＥＬ発光体装置が自動販売機における表示装置に組み込まれたものである。このように構成させた本発明は、意匠性が高く、輝度均一性が高い特長を奏する。
尚、この第１０５の本発明は、明所コントラスト性、多色化可能性、寿命特性、耐加水分解性、微細化可能性、形状自由度特性、超薄型特性、軽量特性などにおいて特に優れている。中でも、多色化可能性は優れている。
【０２６６】
第１０６の本発明（無機ＥＬ発光体装置）は、無機ＥＬ発光体（無機ＥＬ発光源）を具備した無機ＥＬ発光体装置である。そして、この無機ＥＬ発光体装置が視線検出装置を有するヘッドアップディスプレイに組み込まれたものである。このように構成させた本発明は、意匠性が高く、輝度均一性が高い特長を奏する。
尚、この第１０６の本発明は、多色化可能性、電磁波フリー特性、ＵＶフリー特性、高速応答性（動画適性）、解像度特性、耐加水分解性、微細化可能性、形状自由度特性、超薄型特性、軽量特性などにおいて特に優れている。中でも、多色化可能性は優れている。
【０２６７】
第１０７の本発明（無機ＥＬ発光体装置）は、無機ＥＬ発光体（無機ＥＬ発光源）を具備した無機ＥＬ発光体装置である。そして、この無機ＥＬ発光体装置がレーザー発光装置に組み込まれたものである。かつ、無機ＥＬ発光体装置からの光がレーザー光に変換されるよう構成されたものである。このように構成させた本発明は、意匠性が高く、輝度均一性が高い特長を奏する。そして、例えば無機ＥＬの発光をレーザー光に変換する部分を備えるヤグレーザー等に好ましく用いることが出来る。
尚、この第１０７の本発明は、微細化可能性、形状自由度特性、超薄型特性、軽量特性などにおいて特に優れている。
【０２６８】
第１０８の本発明（無機ＥＬ発光体装置）は、無機ＥＬ発光体（無機ＥＬ発光源）を具備した無機ＥＬ発光体装置である。そして、この無機ＥＬ発光体装置がレーザー加工装置におけるレーザー発光装置に組み込まれたものである。かつ、無機ＥＬ発光体装置からの光がレーザー光に変換されるよう構成されたものである。このように構成させた本発明は、意匠性が高く、輝度均一性が高い特長を奏する。
尚、この第１０８の本発明は、微細化可能性、形状自由度特性、超薄型特性、軽量特性などにおいて特に優れている。
【０２６９】
第１０９の本発明（無機ＥＬ発光体装置）は、無機ＥＬ発光体（無機ＥＬ発光源）を具備した無機ＥＬ発光体装置である。そして、この無機ＥＬ発光体装置が除電装置に組み込まれたものである。かつ、機ＥＬ発光体装置からの光によって静電気が除電されるよう構成されたものである。このように構成させた本発明は、意匠性が高く、輝度均一性が高い特長を奏する。そして、例えば紙、電子機器、移動装置、インクトナー、アクリルなどの樹脂製品、毛皮、繊維、人体などの発火、感電、埃付着などの原因となる静電気が帯電し易いものに好ましく応用できる。
尚、この第１０９の本発明は、微細化可能性、形状自由度特性、超薄型特性、軽量特性などにおいて特に優れている。
【０２７０】
第１１０の本発明（無機ＥＬ発光体装置）は、無機ＥＬ発光体（無機ＥＬ発光源）を具備した無機ＥＬ発光体装置である。そして、この無機ＥＬ発光体装置が光発生装置に組み込まれたものである。かつ、無機ＥＬ発光体装置からの光の波長が変換されるよう構成されたものである。
尚、この第１１０の本発明は、微細化可能性、形状自由度特性、超薄型特性、軽量特性などにおいて特に優れている。
【０２７１】
第１１１の本発明（無機ＥＬ発光体装置）は、上記第１〜第１１０の無機ＥＬ発光体が、特に、層状発光体のものである。
【０２７２】
第１１２の本発明（無機ＥＬ発光体装置）は、上記第１〜第１１１の無機ＥＬ発光体が、特に、保持面に塗設されたものである。
【０２７３】
第１１３の本発明（無機ＥＬ発光体装置）は、上記第１〜第１１２の無機ＥＬ発光体が、特に、薄膜状のものであって、保持面上に成膜されたものである。
【０２７４】
第１１４の本発明（無機ＥＬ発光体装置）は、無機ＥＬ発光体（無機ＥＬ発光源）を具備した無機ＥＬ発光体装置である。そして、この無機ＥＬ発光体装置がプロジェクタに組み込まれたものである。かつ、無機ＥＬ発光体装置からの光がプロジェクタの透過性画像表示部に通されて投影されるよう構成されたものである。更に、無機ＥＬ発光体は、層状発光体で、保持面に塗設されたものである。
尚、この第１１４の本発明は、電磁波フリー特性、微細化可能性、形状自由度特性、超薄型特性、軽量特性などにおいて特に優れている。
【０２７５】
第１１５の本発明（無機ＥＬ発光体装置）は、無機ＥＬ発光体（無機ＥＬ発光源）を具備した無機ＥＬ発光体装置である。そして、この無機ＥＬ発光体装置が発光スイッチに組み込まれたものである。かつ、無機ＥＬ発光体装置からの光が前記発光スイッチの光拡散透過部に通されて発光するよう構成されたものである。更に、無機ＥＬ発光体は、層状発光体で、保持面に塗設されたものである。尚、光拡散性透過部には文字、記号、図などが記載されていても良い。そして、例えばエレベータなど多数のスイッチを持つ装置に好適に用いられる。
尚、この第１１５の本発明は、多色化可能性、寿命特性、耐振動性、微細化可能性、形状自由度特性、超薄型特性、軽量特性などにおいて特に優れている。
【０２７６】
第１１６の本発明（無機ＥＬ発光体装置）は、無機ＥＬ発光体（無機ＥＬ発光源）を具備した無機ＥＬ発光体装置である。そして、この無機ＥＬ発光体装置が標識灯装置に組み込まれたものである。かつ、無機ＥＬ発光体装置からの光が前記標識灯装置の光透過性表示部に照射されて光透過性表示部上の表示が強調されるよう構成されたものである。更に、無機ＥＬ発光体は、層状発光体で、保持面に塗設されたものである。
尚、この第１１６の本発明は、明所コントラスト性、多色化可能性、寿命特性、耐加水分解性、微細化可能性、形状自由度特性、超薄型特性、軽量特性などにおいて特に優れている。
【０２７７】
第１１７の本発明（無機ＥＬ発光体装置）は、無機ＥＬ発光体（無機ＥＬ発光源）を具備した無機ＥＬ発光体装置である。そして、この無機ＥＬ発光体装置が面状照明装置に組み込まれたものである。かつ、無機ＥＬ発光体は、層状発光体で、保持面に塗設されたものである。
尚、この第１１７の本発明は、超薄型特性、軽量特性などにおいて特に優れている。
【０２７８】
第１１８の本発明（無機ＥＬ発光体装置）は、無機ＥＬ発光体（無機ＥＬ発光源）を具備した無機ＥＬ発光体装置である。そして、この無機ＥＬ発光体装置が移動装置における内部照明装置に組み込まれたものである。かつ、無機ＥＬ発光体は、層状発光体で、保持面に塗設されたものである。尚、移動装置としては、例えば旅客、貨物、工事、調査、試験、武装などを目的とする、人が乗り込むことを目的とする車輪やキャタピラ等を有する自動車、軌道車（電車、汽車、モノレール、ロープウェイ、リフト等）、又、船舶、潜水艦、潜水艇、飛行機、ヘリコプタ、飛行船、気球、ロケット等が挙げられる。そして、内部に在る人が入る為の空間における照明目的で用いられる。暗所において特に有効である。
尚、この第１１８の本発明は、電磁波フリー特性、寿命特性、耐振動性、微細化可能性、形状自由度特性、超薄型特性、軽量特性などにおいて特に優れている。中でも、寿命特性や耐振動性は優れている。
【０２７９】
第１１９の本発明（無機ＥＬ発光体装置）は、無機ＥＬ発光体（無機ＥＬ発光源）を具備した無機ＥＬ発光体装置である。そして、この無機ＥＬ発光体装置が画像形成装置に組み込まれたものである。かつ、無機ＥＬ発光体は、層状発光体で、保持面に塗設されたものである。
尚、この第１１９の本発明は、微細化可能性、形状自由度特性、超薄型特性、軽量特性などにおいて特に優れている。
【０２８０】
第１２０の本発明（無機ＥＬ発光体装置）は、無機ＥＬ発光体（無機ＥＬ発光源）を具備した無機ＥＬ発光体装置である。そして、この無機ＥＬ発光体装置がファックス送・受信機に組み込まれたものである。かつ、無機ＥＬ発光体は、層状発光体で、保持面に塗設されたものである。
尚、この第１２０の本発明は、微細化可能性、形状自由度特性、超薄型特性、軽量特性などにおいて特に優れている。
【０２８１】
第１２１の本発明（無機ＥＬ発光体装置）は、無機ＥＬ発光体（無機ＥＬ発光源）を具備した無機ＥＬ発光体装置である。そして、この無機ＥＬ発光体装置がコピー機に組み込まれたものである。かつ、無機ＥＬ発光体は、層状発光体で、保持面に塗設されたものである。
尚、この第１２１の本発明は、微細化可能性、形状自由度特性、超薄型特性、軽量特性などにおいて特に優れている。
【０２８２】
第１２２の本発明（無機ＥＬ発光体装置）は、無機ＥＬ発光体（無機ＥＬ発光源）を具備した無機ＥＬ発光体装置である。そして、この無機ＥＬ発光体装置が印刷機に組み込まれたものである。かつ、無機ＥＬ発光体は、層状発光体で、保持面に塗設されたものである。
尚、この第１２２の本発明は、微細化可能性、形状自由度特性、超薄型特性、軽量特性などにおいて特に優れている。
【０２８３】
第１２３の本発明（無機ＥＬ発光体装置）は、上記第１１９〜第１２２の発明の装置が、除電装置を更に備えたものである。この除電装置には無機ＥＬ発光体装置が組み込まれたものである。
尚、この第１２３の本発明は、微細化可能性、形状自由度特性、超薄型特性、軽量特性などにおいて特に優れている。
【０２８４】
第１２４の本発明（無機ＥＬ発光体装置）は、無機ＥＬ発光体（無機ＥＬ発光源）を具備した無機ＥＬ発光体装置である。そして、この無機ＥＬ発光体装置が情報読取装置に組み込まれたものである。かつ、無機ＥＬ発光体装置からの光が対象部に照射されて表面の情報が読み取られるよう構成されたものである。更に、無機ＥＬ発光体は、層状発光体で、保持面に塗設されたものである。
尚、この第１２４の本発明は、微細化可能性、形状自由度特性、超薄型特性、軽量特性などにおいて特に優れている。
【０２８５】
第１２５の本発明（無機ＥＬ発光体装置）は、上記第１１９〜第１２２の発明の装置が、情報読取装置を更に備えたものである。この情報読取装置には無機ＥＬ発光体装置が組み込まれたものである。そして、無機ＥＬ発光体装置からの光が対象部に照射されて表面の情報が読み取られるよう構成されたものである。
尚、この第１２５の本発明は、微細化可能性、形状自由度特性、超薄型特性、軽量特性などにおいて特に優れている。
【０２８６】
第１２６の本発明（無機ＥＬ発光体装置）は、上記第１２４の発明の情報読取装置が、特に、網膜読取装置である。
尚、この第１２６の本発明は、電磁波フリー特性、ＵＶフリー特性、微細化可能性、形状自由度特性、超薄型特性、軽量特性などにおいて特に優れている。中でも、微細化可能性は優れている。
【０２８７】
第１２７の本発明（無機ＥＬ発光体装置）は、上記第１２４の発明の情報読取装置が、特に、静脈パターン読取装置である。
尚、この第１２７の本発明は、電磁波フリー特性、ＵＶフリー特性、微細化可能性、形状自由度特性、超薄型特性、軽量特性などにおいて特に優れている。中でも、微細化可能性は優れている。
【０２８８】
第１２８の本発明（無機ＥＬ発光体装置）は、上記第１２４の発明の情報読取装置が、特に、指紋パターン読取装置である。
尚、この第１２８の本発明は、電磁波フリー特性、ＵＶフリー特性、微細化可能性、形状自由度特性、超薄型特性、軽量特性などにおいて特に優れている。中でも、微細化可能性は優れている。
【０２８９】
第１２９の本発明（無機ＥＬ発光体装置）は、上記第１１９〜第１２２の発明の装置が、情報読取装置を更に備えたものである。この無機ＥＬ発光体装置が露光装置に組み込まれたものである。かつ、無機ＥＬ発光体装置からの光が対象部に照射されるよう構成されたものである。更に、無機ＥＬ発光体は、層状発光体で、保持面に塗設されたものである。
尚、この第１２９の本発明は、微細化可能性、形状自由度特性、超薄型特性、軽量特性などにおいて特に優れている。
【０２９０】
第１３０の本発明（無機ＥＬ発光体装置）は、無機ＥＬ発光体（無機ＥＬ発光源）を具備した無機ＥＬ発光体装置である。そして、この無機ＥＬ発光体装置が表示装置に組み込まれたものである。かつ、無機ＥＬ発光体装置からの光が表示面に照射されて情報が表示されるよう構成されたものである。更に、無機ＥＬ発光体は、層状発光体で、保持面に成膜されたものである。
尚、この第１３０の本発明は、明所コントラスト性、多色化可能性、高速応答性（動画適性）、解像度特性、寿命特性、微細化可能性、形状自由度特性、超薄型特性、軽量特性などにおいて特に優れている。
【０２９１】
第１３１の本発明（無機ＥＬ発光体装置）は、第１３０の発明の表示装置の表示面が可撓性を有するよう構成されたものである。
尚、この第１３１の本発明は、明所コントラスト性、多色化可能性、高速応答性（動画適性）、解像度特性、寿命特性、微細化可能性、形状自由度特性、超薄型特性、軽量特性などにおいて特に優れている。
【０２９２】
第１３２の本発明（無機ＥＬ発光体装置）は、上記第１３０の発明の表示装置の無機ＥＬ発光体の点光源または線光源からなる面内の点滅もしくは発光色の違いによって情報が表示されるよう構成されたものである。
尚、この第１３２の本発明は、明所コントラスト性、多色化可能性、高速応答性（動画適性）、解像度特性、寿命特性、微細化可能性、形状自由度特性、超薄型特性、軽量特性などにおいて特に優れている。
【０２９３】
第１３３の本発明（無機ＥＬ発光体装置）は、第１３０の発明の表示装置が、特に、移動装置の内部における表示装置である。尚、移動装置としては、例えば旅客、貨物、工事、調査、試験、武装などを目的とする、人が乗り込むことを目的とする車輪やキャタピラ等を有する自動車、軌道車（電車、汽車、モノレール、ロープウェイ、リフト等）、又、船舶、潜水艦、潜水艇、飛行機、ヘリコプタ、飛行船、気球、ロケット等が挙げられる。そして、内部に在る人が入る為の空間における表示目的で用いられる。
尚、この第１３３の本発明は、明所コントラスト性、多色化可能性、高速応答性（動画適性）、解像度特性、寿命特性、耐振動性、耐低温性、耐高温性、微細化可能性、形状自由度特性、超薄型特性、軽量特性などにおいて特に優れている。中でも、寿命特性や耐振動性などは優れている。
【０２９４】
第１３４の本発明（無機ＥＬ発光体装置）は、第１３３の発明の表示装置が、特に、カーナビゲーションシステムである。
尚、この第１３４の本発明は、明所コントラスト性、多色化可能性、高速応答性（動画適性）、解像度特性、寿命特性、耐振動性、耐低温性、耐高温性、微細化可能性、形状自由度特性、超薄型特性、軽量特性などにおいて特に優れている。中でも、寿命特性や耐振動性などは優れている。
【０２９５】
第１３５の本発明（無機ＥＬ発光体装置）は、第１３３の発明の表示装置の表示面が、特に、インスツルメンタルパネルである。
尚、この第１３５の本発明は、明所コントラスト性、多色化可能性、寿命特性、耐振動性、耐低温性、耐高温性、微細化可能性、形状自由度特性、超薄型特性、軽量特性などにおいて特に優れている。中でも、寿命特性や耐振動性などは優れている。
【０２９６】
第１３６の本発明（無機ＥＬ発光体装置）は、無機ＥＬ発光体（無機ＥＬ発光源）を具備した無機ＥＬ発光体装置である。そして、この無機ＥＬ発光体装置が標識灯装置に組み込まれたものである。かつ、無機ＥＬ発光体装置からの光が光透過性表示部に照射され、該光透過性表示部上の表示が強調されるよう構成されたものである。更に、無機ＥＬ発光体は、層状発光体で、保持面に成膜されたものである。
尚、この第１３６の本発明は、多色化可能性、寿命特性、耐低温性、耐高温性、耐加水分解性、微細化可能性、形状自由度特性、超薄型特性、軽量特性などにおいて特に優れている。
【０２９７】
第１３７の本発明（無機ＥＬ発光体装置）は、第１１６又は第１３６の発明の表示部が、特に、対向する二面を具備する両面表示型のものである。
尚、この第１３７の本発明は、多色化可能性、寿命特性、耐低温性、耐高温性、耐加水分解性、微細化可能性、形状自由度特性、超薄型特性、軽量特性などにおいて特に優れている。
【０２９８】
第１３８の本発明（無機ＥＬ発光体装置）は、第１１６、第１３６又は第１３７の発明の表示部が、特に、看板における表示部である。
尚、この第１３８の本発明は、多色化可能性、寿命特性、耐低温性、耐高温性、耐加水分解性、微細化可能性、形状自由度特性、超薄型特性、軽量特性などにおいて特に優れている。
【０２９９】
第１３９の本発明（無機ＥＬ発光体装置）は、第１３０の発明の表示装置が、特に、時計である。
尚、この第１３９の本発明は、明所コントラスト性、電磁波フリー特性、寿命特性、微細化可能性、形状自由度特性、超薄型特性、軽量特性などにおいて特に優れている。
【０３００】
第１４０の本発明（無機ＥＬ発光体装置）は、第１３０の発明の表示装置が、特に、計器である。
尚、この第１４０の本発明は、明所コントラスト性、電磁波フリー特性、寿命特性、微細化可能性、形状自由度特性、超薄型特性、軽量特性などにおいて特に優れている。
【０３０１】
第１４１の本発明（無機ＥＬ発光体装置）は、無機ＥＬ発光体（無機ＥＬ発光源）を具備した無機ＥＬ発光体装置である。そして、この無機ＥＬ発光体装置が発光スイッチ装置に組み込まれたものである。かつ、無機ＥＬ発光体装置からの光が発光スイッチ装置における光拡散透過部を通して発光するよう構成されたものである。更に、無機ＥＬ発光体は、層状発光体で、保持面に成膜されたものである。
尚、この第１４１の本発明は、寿命特性、耐振動性、耐加水分解性、微細化可能性、形状自由度特性、超薄型特性、軽量特性などにおいて特に優れている。
【０３０２】
第１４２の本発明（無機ＥＬ発光体装置）は、無機ＥＬ発光体（無機ＥＬ発光源）を具備した無機ＥＬ発光体装置である。そして、この無機ＥＬ発光体装置が移動装置における外部発光装置に組み込まれたものである。かつ、無機ＥＬ発光体は、層状発光体で、保持面に成膜されたものである。尚、移動装置としては、例えば旅客、貨物、工事、調査、試験、武装などを目的とする、人が乗り込むことを目的とする車輪やキャタピラ等を有する自動車、軌道車（電車、汽車、モノレール、ロープウェイ、リフト等）、又、船舶、潜水艦、潜水艇、飛行機、ヘリコプタ、飛行船、気球、ロケット等が挙げられる。そして、耐低温性、耐高温性、耐衝撃性などで特に有利である。
尚、この第１４２の本発明は、多色化可能性、寿命特性、耐振動性、耐低温性、耐高温性、耐加水分解性、微細化可能性、形状自由度特性、超薄型特性、軽量特性などにおいても優れている。中でも、寿命特性、耐振動性、耐加水分解性などは優れている。
【０３０３】
第１４３の本発明（無機ＥＬ発光体装置）は、第１４２の発明の外部発光装置が、特に、トラックの導風板装置である。
尚、この第１４３の本発明は、多色化可能性、寿命特性、耐振動性、耐低温性、耐高温性、耐加水分解性、微細化可能性、形状自由度特性、超薄型特性、軽量特性などにおいて特に優れている。中でも、寿命特性、耐振動性、耐加水分解性などは優れている。
【０３０４】
第１４４の本発明（無機ＥＬ発光体装置）は、無機ＥＬ発光体（無機ＥＬ発光源）を具備した無機ＥＬ発光体装置である。そして、この無機ＥＬ発光体装置が床用マット装置に組み込まれたものである。かつ、無機ＥＬ発光体は、層状発光体で、保持面に成膜されものである。
尚、この第１４４の本発明は、多色化可能性、寿命特性、耐振動性、耐加水分解性、微細化可能性、形状自由度特性、超薄型特性、軽量特性などにおいて特に優れている。中でも、耐振動性などは優れている。
【０３０５】
第１４５の本発明（無機ＥＬ発光体装置）は、無機ＥＬ発光体（無機ＥＬ発光源）を具備した無機ＥＬ発光体装置である。そして、この無機ＥＬ発光体装置が移動装置における内部照明装置に組み込まれたものである。かつ、無機ＥＬ発光体は、層状発光体で、保持面に成膜されたものである。
尚、この第１４５の本発明は、解像度特性、寿命特性、耐振動性、耐低温性、耐高温性、微細化可能性、形状自由度特性、超薄型特性、軽量特性などにおいて特に優れている。中でも、寿命特性や耐振動性などは優れている。
【０３０６】
第１４６の本発明（無機ＥＬ発光体装置）は、無機ＥＬ発光体（無機ＥＬ発光源）を具備した無機ＥＬ発光体装置である。そして、この無機ＥＬ発光体装置が遊戯機に組み込まれたものである。かつ、無機ＥＬ発光体装置からの光が遊技機における遊戯部で発光するよう構成されたものである。更に、無機ＥＬ発光体は、層状発光体で、保持面に成膜されたものである。
尚、この第１４６の本発明は、明所コントラスト性、多色化可能性、電磁波フリー特性、解像度特性、寿命特性、耐振動性、微細化可能性、形状自由度特性、超薄型特性、軽量特性などにおいて特に優れている。
【０３０７】
第１４７の本発明（無機ＥＬ発光体装置）は、第１４６の発明における無機ＥＬ発光体装置からの光が遊技機における光透過性表示部に導かれ、情報が遊戯面に表示されるよう構成されたものである。
尚、この第１４７の本発明は、明所コントラスト性、多色化可能性、電磁波フリー特性、解像度特性、寿命特性、耐振動性、微細化可能性、形状自由度特性、超薄型特性、軽量特性などにおいて特に優れている。
【０３０８】
第１４８の本発明（無機ＥＬ発光体装置）は、無機ＥＬ発光体を具備した無機ＥＬ発光体装置であって、前記無機ＥＬ発光体装置が屋外照明装置に組み込まれたものである。例えば、庭園灯、街路灯、公園灯、看板、橋、建築物のライトアップ用などの景観照明、門灯、屋外競技場用照明、屋外舞台用照明、宴会場用照明、スポットライト等に用いられる。そして、薄型で輝度均一性が高い特長を奏する。
尚、この第１４８の本発明は、多色化可能性、寿命特性、耐低温性、耐高温性、耐加水分解性、微細化可能性、形状自由度特性、超薄型特性、軽量特性などにおいて特に優れている。中でも、耐加水分解性は優れている。
【０３０９】
第１４９の本発明（無機ＥＬ発光体装置）は、第１０、第１１６、第１３６の発明の標識灯装置が点滅型のものである。そして、例えば灯台、信号、空港管制塔、路面発光、パトライト等に用いられる。特に、灯台、パトライトなどの従来回転灯が用いられる用途において、装置の単純な点滅灯として有効である。
尚、この第１４９の本発明は、多色化可能性、高速応答性（動画適性）、寿命特性、耐低温性、耐高温性、耐加水分解性、微細化可能性、形状自由度特性、超薄型特性、軽量特性などにおいて特に優れている。中でも、高速応答性（動画適性）は優れている。
【０３１０】
本発明において用いられる光源としては、例えば点状光源とか線状光源とか面状光源を挙げることが出来る。このような光源は、基本的には、無機ＥＬ発光体が導電体で挟まれた構造である。斯かる構造は公知であるから詳細は省略される。光源が点状光源の場合、点状光源は無機ＥＬ発光体が導電体で挟まれた構造である。光源が線状光源の場合、線状光源は無機ＥＬ発光体が導電体で挟まれた構造である。或いは、点状光源が線状に配設され、点状光源が無機ＥＬ発光体が導電体で挟まれた構造である。光源が面状光源の場合、面状光源は無機ＥＬ発光体が導電体で挟まれた構造である。或いは、点状光源が面状に配設され、点状光源は無機ＥＬ発光体が導電体で挟まれた構造である。又は、線状光源が面状に配設され、線状光源は無機ＥＬ発光体が導電体で挟まれた構造である。又、場合によっては、光源が透明板の少なくとも一つの端面に配設されている。又、場合によっては、光制御手段を具備している。光制御手段は、例えば透明板に設けられたものである。或いは、光制御手段は面光源の主面に設けられたものである。又、光制御手段は線状光源と平行な複数の畝状凸部からなる。又、光制御手段は透明板の出射面に対向するよう設けられた凸部であって、この凸部は前記出射面の法線方向と平行な正面方向に対向する方向に凸状となっている。又、光制御手段は透明板の出射面上に設けられた凸部であって、この凸部は前記出射面の法線方向と平行な正面方向に凸状となっている。又、光制御手段は光源からの距離によって形状が異なる凸部を有する。又、光制御手段は光源からの距離によって屈折率が異なる凸部を有する。又、光源が透明板の端面に対向して設けられており、光源は０＜光源幅≦０．５ｍｍの寸法を有するものであって、光源の幅方向の寸法と透明板の厚さ方向の寸法とが同じである。或いは、光源が透明板の端面に対向して設けられており、光源は０＜光源幅≦３ｍｍで、かつ、１ｃｍ≦光源長の寸法を有するものであって、光源の幅方向の寸法と透明板の厚さ方向の寸法とが同じである。又、無機ＥＬ発光体を挟んでいる導電体を結ぶ方向に対して垂直な方向の側面から発光するよう構成されている。本発明にあっては、有機ＥＬを用いるのでは無く、無機ＥＬを用いた点に一つの特徴が有る。無機ＥＬとしては、種々のものが知られている。例えば、特開２０００−６７８１３、特開２０００−６７８１４、特開２０００−１００３７９、特開２０００−１００３８０、特開２０００−１００３８１、特開２０００−１００３８３、特開２００２−６３８５０、特開２００５−１３２９４７、特開２００５−１５８６１４等にも開示されている。例えば、ＳｒＳ：Ｃｅ，ＳｒＧａ２Ｓ４，ＢａＡｌ２Ｓ４：Ｅｕ等が挙げられる。又、ＺｎＳ：Ｃｕ，Ｘ、又はＺｎＳ：Ｃｕ，Ｍｎ，Ｘ（、Ｘは共賦活剤であり、Ｃｌ，Ｂｒ，Ｉ，Ａｌの群の中から選ばれる何れか）が挙げられる。或いは、希土類金属と、ＩＩ族およびＩＩＩ
族金属の多元硫化物とを含み、前記ＩＩ族金属に対する前記ＩＩＩ 族金属の組成比が５以上２５以下であり、かつ、前記ＩＩＩ 族金属の化学量論比が１０％以上、６０％以下のものが挙げられる。勿論、これ等に限られるものでは無い。そして、導電体や無機ＥＬ発光体が層状のものである場合、生産上、非常に好ましい。例えば、導電体を含む樹脂などのシートの上に無機ＥＬ発光体を含む塗膜を設け、その上に導電体層を設けると言った手法で簡単に出来る。又、線状や面状の種々の形状の光源を容易に製造できる。更に、同じ形状の光源を複数用いることで、光源製造のプロセスを簡略化できる。尚、光源に矩形状や六角形状などの発光部を有するものを用いれば、発光部間の隙間を最小限に配列するのが容易となり、ムラのない光源を容易に作製できる。
代  理  人  宇  高    克  己